(57)【要約】【課題】コーナ飾りの構造的な強度を高く確保しつつ、基枠に遊技盤をスムーズかつ正確に装着することが可能な遊技機を提供する。【解決手段】本発明の遊技機は、本体枠（基枠）１３のヒンジ側に遊技盤１５を斜め前方から挿入し、この遊技盤１５を回動させつつ本体枠１３に装着する。本体枠１３のヒンジ側の枠面には係止爪が設けられる。遊技盤１５のコーナ飾り９１ａ，９１ｂには、係止爪に嵌って遊技盤１５を本体枠１３に止める係止溝９２，９２が設けられる。コーナ飾り９１ａ，９１ｂの側端部は、遊技盤１５の盤面後方から前方に向けて盤面の中央側に傾斜する角取り面９５になっている。【選択図】図３
2010155125.tif 000002
【特許請求の範囲】
【請求項１】
基枠のヒンジ側に遊技盤を斜め前方から挿入し、この遊技盤を回動させつつ前記基枠に装着するようにした遊技機であって、
前記基枠のヒンジ側の枠面に設けられる係止爪と、
前記遊技盤のコーナ飾りの側端部に設けられ、前記係止爪に嵌って前記遊技盤を前記基枠に止める係止溝とを備え、
前記コーナ飾りの前記側端部が角取り面になっていることを特徴とする遊技機。
【発明の詳細な説明】
【技術分野】
【０００１】
本発明は、遊技機に関するもので、詳しくは、遊技盤のコーナ飾りの角取り（面取り）構造に関するものである。
【背景技術】
【０００２】
パチンコ機等の遊技機は、遊技盤の入れ替えや各種装置の修理などの際に、基枠に遊技盤を装着したり、また、基枠から遊技盤を取り外せるようになっている。近年、図柄表示装置等が大型化され、これに応じて遊技盤の荷重が増加する傾向にある。
【０００３】
従来、このような遊技盤を基枠に堅固に固定するために、遊技盤の四隅付近で遊技領域を仕切るコーナ飾りに、基枠と遊技盤とを止める可動式の係止具（例えば回動式やバックス式）を設けた遊技機が知られている。この種の遊技機は、例えば特許文献１に示すように、遊技盤の四隅コーナ飾りの側端に、それぞれ上下に２箇所、合計４箇所の係止具を取り付けて、基枠に遊技盤を止める。基枠に遊技盤を嵌め込むときには、基枠の前方から遊技盤を水平に押し込んで、これらの装着状態を保って、前記の４箇所の係止具をロックする。
【０００４】
しかしながら、このような遊技機では、前述の装着作業を、ガラス枠を開放した状態で行う必要があるため、基枠のヒンジ側の狭いスペースに遊技盤を嵌め込み、かつ、上下の係止具をそれぞれロックする操作が極めて厄介で面倒になる。
【０００５】
これに対し、遊技盤の４箇所の係止具のうち、ヒンジ側の係止具を、基枠の係止爪と、コーナ飾りの係止溝との係止構造に代えて、基枠に遊技盤を止める遊技機がある（特許文献２等）。
【０００６】
このような遊技機によると、まず、基枠の前方からヒンジ側に遊技盤を斜めに挿入し、基枠の係止爪にコーナ飾りの係止溝を嵌める。次に、この遊技盤のヒンジ側の側端（固定端）を軸にして、他方の側端（自由端）を回動させて基枠に遊技盤を嵌め込む。この状態で、遊技盤の自由端側の２箇所の係止具をロックすれば、上下左右４箇所の係止具を有する遊技機よりも、簡単に基枠に遊技盤を固定することができる。
【先行技術文献】
【特許文献】
【０００７】
【特許文献１】特開２００３−１４４６３９号公報
【特許文献２】特開平１１−１６９５１９号公報
【発明の概要】
【発明が解決しようとする課題】
【０００８】
ところが、上記のような従来の遊技機の構成では、次のような問題がある。
（１)基枠の係止爪に、コーナ飾りの側端突出部を引っ掛けて、遊技盤の固定端の回動軸とするため、このような引っ掛け部分が破損したり、変形するおそれがある。
（２）基枠のヒンジ側に遊技盤を挿入する際に、コーナ飾りの側端突出部が邪魔になる。
（３）係止爪の爪先にコーナ飾りの側端突出部を引っ掛けるため、基枠と遊技盤との間に係止爪の長さ程度の隙間が生じやすい。
【０００９】
本発明は、このような現状に鑑みなされたもので、コーナ飾りの構造的な強度を高く確保しつつ、基枠に遊技盤をスムーズかつ正確に装着することを可能にした遊技機を提供することを目的としている。
【課題を解決するための手段】
【００１０】
［第１発明］
本発明（第１発明）の遊技機は、基枠のヒンジ側に遊技盤を斜め前方から挿入し、この遊技盤を回動させつつ前記基枠に装着するようにした遊技機であって、
前記基枠のヒンジ側の枠面に設けられる係止爪と、
前記遊技盤のコーナ飾りの側端部に設けられ、前記係止爪に嵌って前記遊技盤を前記基枠に止める係止溝とを備え、
前記コーナ飾りの前記側端部が、前記遊技盤の盤面後方から前方に向けて盤面の中央側に傾斜する角取り面になっていることを特徴としている。
【００１１】
本発明（第１発明）の構成では、基枠に遊技盤を装着する場合、基枠のヒンジ側に遊技盤を斜め前方から挿入し、基枠の係止爪にコーナ飾りの係止溝を嵌め、同時に、基枠の枠面にコーナ飾りの角取り面を向き合わせる。
次いで、遊技盤の一方の側端（固定端）すなわちヒンジ側の側端を軸にして、他方の側端（自由端）を回動させて基枠に遊技盤を嵌め込む。
【００１２】
前述したように、従来のコーナ飾りの構造は、遊技盤の回動時の操作性を高めるために、基枠の係止爪にコーナ飾りの側端突出部を引っ掛けて回動軸とする構成であった。本発明は、このような従来の発想を改め、コーナ飾りの側端部に回動の起点となる突出部を設けず、コーナ飾りの側端部に角取り面を形成して、遊技盤の挿入時および回動時にコーナ飾りの側端部が基枠の枠面と干渉し合わないようにしたものである。
【００１３】
この結果、本発明の構成によれば、コーナ飾りの側端部の構造的な強度を高く保つことができ、しかも、基枠への遊技盤の挿入時および回動時の操作性も向上する。さらに、基枠の枠面にコーナ飾りの角取り面を向き合わせて接近させることができ、基枠と遊技盤との間の隙間を詰めてこれらの装着を行うことが可能になる。
【００１４】
［第２発明］
基枠の係止爪にコーナ飾りの係止溝を嵌める際には、係止溝の溝壁面の立ち上がりの角度によっては、遊技盤の挿入時または回動時に、係止爪の先端が係止溝の溝壁面に当たって邪魔になることがある。
【００１５】
本発明（第２発明）の遊技機は、第１発明の構成を有する遊技機であって、
前記コーナ飾りの係止溝に、前記遊技盤の盤面後方から前方に向かって前記係止爪の先端から離れるように傾斜する逃げ面を設けたことを特徴としている。
【００１６】
このような構成によれば、基コーナ飾りの係止溝内でその逃げ面と係止爪の先端との間に十分な距離を保つことができ、両者の接触を回避することができる。これにより、基枠への遊技盤の装着作業をより快適に行うことが可能になる。
【００１７】
［第３発明］
一般に、遊技盤のコーナ飾りは、ベニヤ板等からなるベース板の前面にビス等で固定される。前述したように、コーナ飾りの側端部に係止溝を設けると、この係止溝内にベース板の板面が露出し、基枠の係止爪が係止溝を通してベース板の表面を疵付けるおそれがある。通常、ベース板は、合成樹脂製のコーナ飾りに比べてその表面が柔らかく、凹みや疵が付きやすいので、上記のような不具合を未然に防止しておくのが望ましい。
【００１８】
本発明（第３発明）の遊技機は、第１発明の構成を有する遊技機であって、
ベニヤ板からなるベース板に合成樹脂製のコーナ飾りが取り付けられる遊技盤を備え、
前記コーナ飾りの係止溝に、ベース板の板面に密着しかつ前記ベース板の板面と前記係止溝の溝空間を仕切る仕切板が設けられることを特徴としている。
【００１９】
このような構成によれば、コーナ飾りの係止溝が仕切板によりベース板の板面と仕切られるため、係止溝に係止爪を嵌めたときに、係止爪の先端がベース板の板面に直接当たることがない。これにより、ベース板の板面に凹みや疵が付くのを防止することができる。
【００２０】
また、第３発明の構成によれば、ベース板の表面に仕切板が密着して設けられるため、遊技盤と係止爪との間の隙間を仕切板の厚みで調整し、基枠のヒンジ側における遊技盤の固定状態を安定させることができるという付随的な効果も得ることができる。
【００２１】
［第１〜３発明］
本発明（第１〜３発明）は、遊技盤の側端部にコーナ飾りを備えた各種遊技機に適用することができる。例えば、パチンコ機、アレンジボール機、雀球遊技機等の遊技機に適用すると効果的である。
本発明（第１〜３発明）は、必要に応じて単独で適用してもよいし、各発明を組み合わせて適用してもよい。また、本明細書に記載される他の発明を組み合わせてもよい。
【図面の簡単な説明】
【００２２】
【図１】本発明の実施形態による遊技機を示す斜視図である。
【図２】同遊技機の遊技盤を示す斜視図である。
【図３】同遊技機のレールユニットを示す正面図である。
【図４】同レールユニットの外レールユニットを示す正面図である。
【図５】同レールユニットの外レールユニットを示す背面図である。
【図６】同レールユニットの外レールユニットを示す背面斜視図である。
【図７】同レールユニットの中間レールユニットおよび内レールユニットを示す正面図である。
【図８】同レールユニットの中間レールユニットおよび内レールユニットを示す背面図である。
【図９】同レールユニットの中間レールユニットおよび内レールユニットを示す斜視図である。
【図１０】同レールユニットの中間レールユニットおよび内レールユニットを示す側面図である。
【図１１】同遊技機の遊技盤を取り外した状態を示す斜視図である。
【図１２】図１１に示す［Ｙ］部分の部分拡大斜視図である。
【図１３】同遊技機を示す平面図である。
【図１４】同遊技機のコーナ飾りの側端部を示す部分拡大平面図である。
【図１５】同遊技盤のコーナ飾りを示す部分拡大斜視図である。
【図１６】図１５に示す［１６］−［１６］線断面図である。
【図１７】同コーナ飾りの側端部を示すもので、回動前の状態を示す部分拡大断面図である。
【図１８】同コーナ飾りの側端部を示すもので、回動後の状態を示す部分拡大断面図である。
【図１９】同レールユニットの図５および図６に示す［Ｚ］部分の拡大図である。
【図２０】図１９に示す［２０］−［２０］線断面図である。
【図２１】本発明の実施形態による除電金具を示す斜視図である。
【図２２】同除電金具の側面図である。
【図２３】同除電金具の板刃を示す部分拡大断面図である。
【図２４】同除電金具の取付状態を示すもので、（Ａ）は部分拡大平面図、（Ｂ）は部分拡大断面図である。
【図２５】同除電金具と案内レールとの接触状態を示す部分拡大平面図である。
【図２６】同除電金具の板刃の使用状態を示す拡大断面図である。
【図２７】本発明の実施形態による遊技盤を示す背面図である。
【図２８】同遊技盤の背面斜視図である。
【図２９】同遊技盤のレールユニットと集合樋との共締め構造を示す部分拡大断面図である。
【図３０】本発明の実施形態による遊技盤の外レール始端付近を示す部分拡大正面図である。
【図３１】同遊技盤の外レールの保護カバーを示す正面図である。
【図３２】同保護カバーの斜視図である。
【図３３】同保護カバーの取付部分の構成を示す斜視図である。
【図３４】同保護カバーの作用説明図である。
【図３５】本発明の実施形態による遊技盤の取手の使用状態を示す断面図である。
【図３６】同遊技盤の背面のコネクタを取り外した状態を示す断面図である。
【図３７】本発明の実施形態によるレールユニットを重ね合わせた状態を示す模式断面図である。
【図３８】同レールユニットの中間レールユニットおよび内レールユニットの連結部分の構成を示す拡大平面図である。
【図３９】同レールユニットの中間レールユニットおよび内レールユニットの連結部分の作用を説明するための拡大平面図である。
【図４０】同レールユニットの中間レールユニットと内レールユニットとを折り畳んだ状態を示す平面図である。
【図４１】同レールユニットの中間レールユニットと内レールユニットとの連結部分の構成を示す平面図である。
【図４２】同レールユニットの中間レールユニットと内レールユニットとの連結部分の作用を説明するための平面図である。
【発明を実施するための形態】
【００２３】
以下、本発明の実施の形態を図面に基づいて説明する。本実施形態は、パチンコ機に本発明を適用したものである。
図１に示すように、遊技機１０は、外枠１２に本体枠（基枠）１３およびガラス枠１４が取り付けられる。本体枠１３に形成された開口の前部には遊技盤装着枠部９３（図１１参照）が設けられ、この遊技盤装着枠部９３に遊技盤１５が脱着可能に取り付けられている。本体枠１３とガラス枠１４とはヒンジ１６により遊技機１０の正面側に開閉するようになっている。
【００２４】
遊技盤１５の下方には遊技球の発射用のハンドル１７が設けられる。ハンドル１７を操作すると、遊技球が発射レール１８に打ち出され、外レール１５ａと内レール１５ｂとの間の誘導通路を通って遊技盤１５の遊技領域Ｐに放出される。
【００２５】
図２に示すように、遊技領域Ｐには、遊技球の落下方向を規制する誘導釘（図示省略）が設けられ、これらの誘導釘の間に抽選図柄を表示する図柄表示装置３０、抽選図柄表示を開始させる始動口２７、一般入賞口２８、大当たり時に開閉して遊技球の入賞を促すアタッカ装置２９等が配置されている（図２参照）。
【００２６】
遊技盤１５は、ベニヤ等の板材からなるベース板２１と、プラスチック成形材（合成樹脂）からなるレールユニット２２とを備えている。遊技盤１５の盤面のうちレールユニット２２に囲まれる部分に遊技領域Ｐが仕切られる。遊技領域Ｐの盤面には、セル画シートが貼られており、そのシート面に図柄、文字、キャラクター、背景などの遊技を盛り上げる装飾印刷が施されている。遊技者は、ガラス枠１４（図１参照）を通して係る印刷面を見ることになる。
【００２７】
レールユニット２２は、外レールユニット２２Ａ、中間レールユニット２２Ｂ、および内レールユニット２２Ｃからなる。各レールユニット２２Ａ〜２２Ｃの遊技領域Ｐの外側には、ベース板１２の四隅部を覆うコーナ飾り９１ａ〜９１ｄ（図２参照）が一体形成されている。各コーナ飾り９１ａ〜９１ｄは、上下および左右で互いに連なっており、遊技領域Ｐの外側の盤面をほぼ全面覆っている。
【００２８】
外レールユニット２２Ａは、外レール始端付近から遊技盤１５の左側端部を通って遊技盤１５の上端部に達し、外レール終端付近まで延びる。中間レールユニット２２Ｂは、外レール終端付近から遊技盤１５の右側端部を通って下方に延び、遊技盤１５の下部中央付近まで延びる。そして、内レールユニット２２Ｃは、遊技盤１５の下部中央付近から外レールユニット２２Ａの内側面に沿って上方に延びる。
図３に示すように、外レールユニット２２Ａと中間レールユニット２２Ｂとは、連結ピン２５で連結されており、一方、中間レールユニット２２Ｂと内レールユニット２２Ｃとは、連結ネジ２６で連結されている。
【００２９】
図５および図６に示すように、外レールユニット２２Ａの裏面には、固定ネジを通すボス３１ａ〜３１ｆと、圧入ピン３２ａ〜３２ｄとが所定の間隔を保って形成される。
図８〜図１０に示すように、中間レールユニット２２Ｂと内レールユニット２２Ｃの裏面には、固定ネジを通すボス３１ｇ〜３１ｉと、圧入ピン３２ｅ〜３２ｈとが所定の間隔を保って形成されている。
各レールユニット２２Ａ〜２２Ｃとベース板２１との取り付けは、これらのボス３１ａ〜３１ｉおよび圧入ピン３２ａ〜３２ｈを、予めベース板２１に形成された固定穴に位置合わせし、固定ネジおよび圧入ピン３２ａ〜３２ｈで止めることにより行われる。
【００３０】
図５に示すように、外レールユニット２２Ａのレール長さ方向には、その内周面に沿って金属製の案内レールＲが取り付けられる。案内レールＲのレール面に遊技球が転がり、外レールユニット２２Ａの内周面は遊技球に直接触れることがない。
なお、このような金属製の案内レールＲは、外レールユニット２２Ａのみに採用され、中間レールユニット２２Ｂおよび内レールユニット２２Ｃには採用されない。すなわち、通常の遊技状態では、中間レールユニット２２Ｂおよび内レールユニット２２Ｃのレール面には遊技球の接触する頻度が少ないため、これらのユニット２２Ｂおよび２２Ｃでは、遊技領域Ｐを仕切る樹脂成形面（内周面）がそのまま遊技球のレール面として用いられる。
【００３１】
遊技盤１５のヒンジ側のコーナ飾り９１ａ，９１ｂには、上下２箇所に係止溝９２，９２が形成される（図２参照）。これらの係止溝９２，９２は、後述する本体枠１３の係止爪９４，９４に嵌まる溝幅および溝長さをもつ。
【００３２】
本体枠１３の矩形の遊技盤装着枠部９３には、ヒンジ側の枠面に係止爪９４，９４が形成されている（図１１参照）。係止爪９４，９４は、係止溝９２，９２と等しい間隔および高さで枠面の上下２箇所に配置される。係止爪９４，９４の縦方向には背板部９４ａ（図１２参照）が延びており、この背板部９４ａの背板面と遊技盤装着面９３ａとの間で遊技盤１５の側端部を挟むように止める。
【００３３】
次に、コーナ飾り９１ａ，９１ｂの側端部の構成を説明する。
図１３は、遊技機１０を上から見た平面図である。遊技盤１５のコーナ飾り９１ａ，９１ｂは、その側端部に角取り面９５を有している（図１４参照）。角取り面９５は、遊技盤１５の盤面後方から前方に向かって盤面中央側に傾斜する傾斜面であり、コーナ飾り９１ａ，９１ｂの高さ方向に均一な傾斜を保って延びている（図３参照）。
【００３４】
図１５に示すように、係止溝９２は、コーナ飾り９５ａの角取り面９５を切り欠いて形成される。係止溝９２の溝壁面９２ａ，９２ａと溝壁面９２ｂとがコの字形に連なり、係止爪９４を嵌合するための溝空間を形成している。
【００３５】
溝壁面９２ａ，９２ａは、ベース板２１の盤面に対しほぼ垂直に立ち上がって互いに向き合う。
溝壁面９２ｂは、盤面後方から前方に向かって盤面中央側、すなわち係止爪９４から離れる方向に傾斜する逃げ面となっている（図１６参照）。
【００３６】
係止溝９２の底部には、仕切板１６が設けられる。仕切板９６は、コーナ飾り９１ａ、９１ｂに一体形成されるもので、係止溝９２の溝空間とベース板２１の板面とを仕切っている。仕切板９６の背面は、コーナ飾り９１ａ，９１ｂの裏面に一致し、ベース板２１に密着する。
【００３７】
このように係止溝９２の溝空間に仕切板１６を形成することで、係止爪９４がベース板２１の板面に直接接触することがない。これにより、本体枠１３に遊技盤１５を嵌め込む際に、係止爪９４の先端でベース板２１の表面に凹みやキズが付くのが防止される。
【００３８】
また、コーナ飾り９１ａ，９１ｂの成形型製作時に仕切板１５の板厚Ｄ（図１６参照）を調整することで、遊技盤１５と係止爪９５との隙間を埋めやすいため、遊技盤１５の側端部をガタ付きなく安定した装着状態に保つことが可能になる。
【００３９】
本体枠１３に遊技盤１５を装着する場合、図１７に示すように、本体枠１３にその斜め前方から遊技盤１５を挿入し、係止爪９４に遊技盤１５の係止溝９２を嵌める。このとき、コーナ飾り９１ａ，９１ｂの角取り面９５を遊技盤装着枠部９３の枠面に向き合わせ、遊技盤１５の側端が枠面に突き当たるようにする。
【００４０】
次いで、枠面に突き当たった遊技盤１５の側端（固定端）を軸として、遊技盤１５の他方の側端（自由端）を回動させ、同時に、遊技盤１５の側端（固定端）を枠面に向けて押し込む（図１８参照）。これにより、本体枠１３に遊技盤１５が完全に嵌り込むことになる。
このような状態で、遊技盤１５の自由端側の係止具９０，９０（図２および図３参照）をロックし、本体枠１３に遊技盤１５を固定する。
【００４１】
本実施形態の構成によれば、コーナ飾り９１ａ，９１ｂの側端部が角取り面９５になっているため、遊技盤装着枠部９３の枠面に遊技盤１５の側端（固定端）を突き当てながら、その挿入および回動の操作を行うことができる。すなわち、遊技盤１５の側端（固定端）に突出部等の回転の起点となる部分がなくとも、本体枠１３への遊技盤１５の装着をスムーズに行うことができる。
【００４２】
また、コーナ飾り９１ａ，９１ｂの側端部が角取り面９５であるから、その構造的な強度を高く保つことができ、破損や変形が起こりにくい。
また、本体枠１３に遊技盤１５の装着時に、コーナ飾り９１ａ，９１ｂの角取り面９５がその作業の邪魔にならない。
さらに、遊技盤装着枠部９３の枠面に向けて遊技盤１５の側端を押し込むことができるため、本体枠１３の枠内に隙間なく遊技盤１５を収めることが可能になる。
【００４３】
さらに、本実施形態では、係止溝９２の溝壁面（逃げ面）９２ｂが係止爪９４の爪先から離れる方向に傾斜しているため、遊技盤１５の装着作業時にその爪先が溝壁面（逃げ面）９２ｂに接触することがない。このため、遊技盤１５の挿入および回動の操作を係止爪９４に邪魔されず快適に行うことができる。
【００４４】
以上、本実施形態による遊技機１０の構成を説明したが、本発明の実施形態はこれに限定されることなく、必要に応じて、その構成の変更を伴ってもよい。
例えば前記実施形態では、係止爪９４，９４と係止溝９２，９２とを遊技盤１５の高さ方向に２箇所設けているが、これらの数を１箇所のみにしてもよいし、また、３箇所以上にしてもよい。
係止爪９４および係止溝９２の長さや幅等についても、上記実施形態に限定されるものではない。
【００４５】
［その他の発明］
次に、遊技機１０に採用されている他の発明について説明する。遊技機１０には、前述したコーナ飾りの係止構造に関する発明の他、各所に複数の発明が適用されている。
【００４６】
［他の発明１：セル画シートの除電構造］
一般に、パチンコ機等の遊技盤は、ベニヤ板等からなる盤面にセル画シートが貼られている。セル画シートは、透明フィルムに印刷された画により遊技盤面を装飾するもので、その中には金属光沢を有するセル画シートがある。そのようなセル画シートは、例えば、ＰＥＴ（ポリエチレンテレフタレート）、キャブロイドなどの透明フィルムに装飾用の図柄を印刷し、これにアルミ箔（金属層）を貼り付け、さらに、この金属層に接着剤で裏打ち紙を貼り付けて形成されている。そして、このような金属層による光の反射によって、印刷された図柄や背景にメタリックな風合いが加味され、遊技領域に独特の趣を醸し出す。
【００４７】
ところが、このようなセル画シートは、遊技時にその金属層に静電気を帯びやすく、これが原因で遊技球が役物や釘等に接触した際にスパークし、各種制御装置の誤動作を招く電磁波ノイズを引き起こしやすい。
【００４８】
そこで、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、
前記セル画シートに打ち込まれてその金属層に接触する貫入部と、
前記貫入部に連なって前記遊技盤表面に露出し、前記遊技盤周囲の所定のアース端子に接触する中継部とを備える構成とした。
【００４９】
本発明の遊技機によれば、遊技盤の表面に除電金具を打ち込むと、その貫入部がセル画シートを貫いてシート内部の金属層に接触する。一方、除電金具の中継部は、遊技機に設置される既存のアース端子（例えばガラス枠の骨格鉄板）に接触する。これにより、セル画シートの金属層が除電金具を介してアースされることになり、金属層に静電気が発生しても、直ちにその電荷を外部へ逃がすことが可能になる。
【００５０】
また、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、前記セル画シートに打ち込まれてその金属層に接触する貫入部を有しており、かつ、この前記貫入部が板刃であるとよい。
【００５１】
このような構成によれば、セル画シートに板刃状の除電金具を打ち込むため、セル画シートがその刃先で分断され、下方に押し込まれた透明フィルム層が周面を覆ったり、削り屑が生じることがなく、板刃側面が金属層に接触しやすくなる。また、板刃と金属層との接触面積が大きくなるため、広い導電通路を確保することができる。なお、前記板刃には、鋸切り刃、ナイフ刃の他、弧状または筒状の刃も含む。
【００５２】
以下、本発明の具体例を遊技機１０の構成に基づいて説明する。
外レールユニット２２Ａの裏面側であって、図５および図６［Ｚ］部分に示す外レール終端部の拡大図を図１９（Ａ）および（Ｂ）に示した。
図１９（Ａ）に示すように、外レール終端付近の裏面は、除電金具５０を取り付けるための台座４０になっており、この台座４０に除電金具５０が所定の向きにセットされる。台座４０とベース板２１との間に除電金具５０がセル画シートと接触した状態で挟まれることになる。
【００５３】
図２０に示すように、台座４０は、ユニット前面パネル４１に立ち上げられたボス３１ａ、仕切壁４４、４５、４６等から構成される。ボス３１ａは、外レール始端付近でベース板２１に外レールユニット２１Ａをネジ固定するためのボスである。
ボス３１ａおよび仕切壁４４、４５、４６は、図２０で上端面が均一の高さに統一されており、これらの端面で除電金具５０を支持するようになっている。
【００５４】
台座４０のボス３１ａの両側には一対の支持ピン４８が形成される（図１９参照）。これらの支持ピン４８の先端は、ボス３１ａの上端面（除電金具５０の支持面）よりの高い位置まで突出し、支持ピン４８間で除電金具５０を挟めるようになっている。
【００５５】
ユニット側面パネル４２と仕切壁４４との間には、後述する除電金具５０の凸折り部（屈曲面）の収納スペースが設けられる。この収納スペースは、ユニット前面パネル４１に開口する小窓Ｗ（図２０参照）により遊技盤１５の前面側に開放されている。
【００５６】
図２１および図２２に示すように、除電金具５０は、金属製の帯板を折り曲げて形成されるもので、その平板部５１の一端に斜め折り部５２を有し、他端に縦折り部５３および横折り部５４が連なっている。横折り部５４のほぼ中間位置には断面Ｕ字形の凸折り部５５が設けられる。
【００５７】
平板部５１にはネジ穴Ｈ１が形成される。ネジ穴Ｈ１は、台座４０に除電金具５０をセットしたときにボス３１ａのネジ穴Ｈ２と重なる位置にある（図２０参照）。すなわち、これらのネジ穴Ｈ１およびＨ２に同時に固定ネジを通せるようになっている。
【００５８】
ネジ穴Ｈ１の周方向にはその穴面に沿って鋸歯状の板刃５８が連なっている。図２３に示すように、板刃５８の板面は、ささくれ状になってネジ穴Ｈ１の外側（ネジ穴軸方向）に向いており、その先端は鋸歯状に分断され、鋭角の刃先が環状に並ぶ。なお、このようなささくれ状の板刃３１ａは、例えば平板部５１の板面に先端十字形の穴あけ工具等を突き刺すことで形成することができる。
【００５９】
平板部５１のネジ穴Ｈ１を挟んだ両側端には円弧溝Ｋ１およびＫ２が形成される。図２４に示すように、これらの円弧溝Ｋ１とＫ２との距離は、前述の支持ピン４８，４８の間の距離にほぼ等しい。この結果、支持ピン４８，４８の間に円弧溝Ｋ１とＫ２を合わせることで、台座４０に除電金具５０を仮止めすることができる。また、仮止めによってボス３１ａのネジ穴Ｈ２と、平板部５１のネジ穴Ｈ１とを簡単に位置合わせすることができる。
【００６０】
図２５に示すように、斜め折り部５２は、除電金具５０の長さ方向に対しほぼ４５゜の角度で折り曲げられる。斜め折り部５２の外側面には、ドーム形の凸部５２ａが形成されている。台座４０に除電金具５０をセットすると、仕切壁４６と案内レールＲとの間の隙間に斜め折り部５２が収まり、凸部５２ａが案内レールＲに接触する。すなわち、この凸部５２ａと案内レールＲとの接触により、案内レールＲと除電金具５０との導電通路が確保されることになる。
【００６１】
縦折り部５３および横折り部５４は、平板部５１に対してそれぞれほぼ垂直および平行な折り曲げ角をなしている。縦折り部５３の長さは、ユニット側面パネル４２と仕切壁４４との間の収納スペースの深さにほぼ一致する。この結果、図２０に示すように、収納スペースの底位置まで縦折り部５３を挿入することができ、このとき、横折り部５４の板面が収納スペースの底面（ユニット前面パネル４１の裏面）に重なる。
【００６２】
縦折り部５３および横折り部５４のそれぞれの折曲線付近には、矩形の貫通穴Ｓ１、Ｓ２が形成される（図２１参照）。これらの貫通孔Ｓ１、Ｓ２は、除電金具５０の板面の歪みを吸収する役割を果たす。
また、貫通孔Ｓ１は、図２０に示すように、仕切壁４４の突起４４ａに嵌まり、台座４０への除電金具５０の取付状態を安定させる。
【００６３】
凸折り部５５は、横折り部５４の板面にほぼ垂直に立ち上げられており、台座４０に除電金具５０をセットしたとき、その凸折り部５５がユニット前面パネル４１の小窓Ｗに嵌る（図２０参照）。遊技盤１５の正面からレールユニット２２のレール終端付近を見ると、ユニット前面に凸折り部５５が突出した状態となる（図１および図２参照）。
【００６４】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具５０の凸折り部５５に接触し、除電金具５０がアース配線に接続される。
【００６５】
除電金具５０とアース端子５９との接触は、ガラス枠の閉鎖時にアース端子５９に凸折り部５５が押されて撓むことによって行われる。このため、アース端子５９の金属面に凸折り部５５の屈曲面が弾性変形して密着する格好となり、その接触状態が良好に保たれる。
【００６６】
次に、遊技機１０による静電気の除電作用について説明する。
ベース板２１にレールユニット２２を固定する場合、台座部４０に除電金具５０をセットし、ボス３１ａにネジを通してベース板２１に締め込むと、図２６に示すように、ネジＮによってレールユニット２２全体がベース板２１に向かって押し付けられ、同時にボス３１ａとベース板２１との間に挟まれた除電金具５０の板刃５８がセル画シートＬを突き破ってベース板２１に刺さる。そして、板刃５８の側面がセル画シートＬの金属層Ｌ３に接触し、金属層Ｌ３をアースすることになる。なお、図２６に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００６７】
このように遊技機１０によれば、セル画シートＬの金属層Ｌ３が板刃５８を介して除電金具５０に接触し、アースされるまでの経路を形成するため、金属層Ｌ３に静電気が帯電しても、除電金具５０から前述のアース端子を通して静電気が直ちに外部に放出される。この結果、遊技機１０に静電気による電磁波ノイズが発生しにくく、制御装置等の誤動作を未然に防止することができる。
【００６８】
また、遊技機１０は、板刃５８の刃先をセル画シートＬに差し込んで金属層Ｌ３と接触する構成であるため、セル画シートＬの各層が板刃５８と一緒にベース板２１の下方に押し込まれにくい。これにより、除電金具５０と金属層Ｌ３とが他の層に邪魔されることなく確実に接触し、導電通路の信頼性が高まる。
【００６９】
また、除電金具５０のネジ穴Ｈの穴面に沿って板刃５８を立ち上げているので、除電金具５０をネジＮで固定する際に同時に板刃５８をセル画シートＬに差し込むことができ、除電金具５０の取り付けの手間も少ない。
【００７０】
また、前述したように、除電金具５０はその斜め折り部５２で金属製の案内レールＲとも接触しているので、例えば発射球が帯電しているような場合に案内レールＲが静電気を帯びても、このような静電気を同時に除去することができる。
さらに、除電金具５０は、帯板材を折り曲げて形成する簡単な構成であるため、製造コストも比較的少なくて済む。
【００７１】
なお、本実施形態は、必要に応じて、その構成部分の変更を伴ってもよい。例えば前記実施形態では除電金具５０を外レールユニット２２Ａに取り付けているが、これに代えて、中間レールユニット２２Ｂや内レールユニット２２Ｃに取り付けるようにしてもよい。また、除電金具５０の板刃５８は、ネジ穴Ｈ１の穴面に沿って環状に複数並んでいるが、これらは必ずしも全て設ける必要はなく、歯抜け状の板刃にしたり、歯無しの筒状板刃の構成にしてもよい。また、除電金具５０の板刃は、筒状に限定されるものではなく、平板状であってもよい。
【００７２】
［他の発明２：遊技盤の共締め構造］
前記実施形態のように遊技盤１５にレールユニット２２を有するタイプの遊技機では、ベース板２１にレールユニット２２を固定するための圧入ピンの数が多くなりやすい。このため、ベース板２１にレールユニット２２を固定する際の作業工程が煩雑だったり、固定装置の大型・複雑化を招くといった問題が生じることがある。
【００７３】
一方、遊技盤の背面には、通常、遊技球を回収するための集合樋が取り付けられる。集合樋は、ベース板の背面にネジ等で固定されるのが一般的である。
【００７４】
前述したような問題点を解決するため、本発明は、レールユニットの固定手段と、集合樋の固定手段を兼用する点に着目した。
すなわち、本発明の遊技機は、ベース板の前面にレールユニット、背面に集合樋を固定する遊技盤を備えた遊技機において、  
前記ベース板の所定位置に貫通孔を形成し、前記レールユニットおよび前記集合樋をそれぞれ前記貫通孔に位置合わせしてネジで共締めする構成とした。
【００７５】
このような構成によれば、レールユニットの固定ネジと、集合樋の固定ネジとが共通化されるため、両者の固定作業を同時に行うことができ、作業工程が大幅に簡略化される。また、レールユニットを固定するための専用の圧入ピンやネジの本数を減らすことができるため、固定装置の大型・複雑化を招きにくくなる。
【００７６】
具体例を実施形態で示すと、レールユニット２２は、外レールユニット２２Ａの下部であって、その側端付近に上下に２箇所のボスＢ１（図６参照）、また、中間レールユニット２２Ｂの下部であって、その側端付近に上下に２箇所のボスＢ１が形成されている（図９および図１０参照）。
【００７７】
図２７および図２８に示すように、ベース板２１の背面下部には集合樋６１および基板ボックス６２が固定されており、このうち、集合樋６１の四隅部にボスＢ１と等しい間隔を保って４つのボスＢ２が形成されている。
【００７８】
図２９に示すように、ベース板２１の下部には、前述のボスＢおよびＢ２に一致する位置に貫通孔Ｔが形成される。
ベース板２１にレールユニット２２と集合樋６１とを固定する場合、ベース板２１を挟んで貫通孔Ｔに両者のボスＢおよびＢ２を位置合わせし、ネジ６３によって共締めする。
【００７９】
このようにベース板２１にレールユニット２２と集合樋６１とを共締めすることにより、これらの固定作業が簡略化される。また、レールユニット２２の圧入ピン３２ａ〜３２ｈ（図６、図１０参照）が比較的少ない本数で済み、ベース板２１にレールユニット２２を圧入するための固定装置の小型化が行いやすく、固定装置への位置合わせ等の作業が簡単になる。
【００８０】
［他の発明３：保護カバーの開閉機構］
遊技盤の外レール始端付近には、ファール球（落下球）と発射球とが衝突した弾みで正面ガラスに当たるのを防止するために保護カバーが設けられることがある。通常は、レール面に対し保護カバーをほぼ垂直に立てて保持し、一方、レール面を掃除するときには、保護カバーを取り外すか、または、可撓性材料からなる保護カバーを折り曲げてレール面を覗けるようにしている。
しかしながら、このような従来の保護カバーは、一旦保護カバーを取り外すと、その取り付けが面倒である。また、保護カバーを折り曲げた状態では、掃除の際に保護カバーが邪魔になりやすい。
【００８１】
前記問題点を解決するため、本発明の遊技機は、遊技盤の外レール始端付近に、レール面を覆う保護カバーを有する遊技機において、
前記保護カバーは、前記遊技盤の正面側に支軸により開閉可能に支持されており、かつ、前記保護カバーの開閉軸付近に、前記保護カバーの開閉角度を規制する係止爪を備える構成とした。
【００８２】
このような構成によれば、保護カバーが前記遊技盤の正面側に支軸によって開閉可能に支持されるため、その開閉操作を簡単に行える。また、係止爪で保護カバーの開放角度を一定に保っておくことができるため、レール面を掃除する際に、保護カバーが邪魔になりにくい。
【００８３】
具体例を本実施形態で示すと、図３０に示すように、外レールユニット２２Ａのレール始端付近に保護カバー７０が取り付けられる。保護カバー７０は、ガラス枠１４の内側であって、案内レールＲを覆う位置に取り付けられている。
【００８４】
図３１および図３２に示すように、保護カバー７０は、透明なプラスチック材料からなり、案内レールＲの弧状のレール面に沿って帯状に延びている。保護カバー７０の下端には支軸７１，７１が一体形成される。支軸７１，７１が外レールユニット２２Ａの軸受７４（図３０参照）に嵌って回動することで、保護カバー７０が遊技盤１５の正面側に開閉する。
【００８５】
保護カバー７０の下端には、２個の平行な開放スリットの間にバネ板７２が形成される。このバネ板７２の先端であって、保護カバー７０の開閉軸付近に係止爪７３が形成されている。
【００８６】
図３３は、外レールユニット２２Ａから保護カバー７０を取り外した状態を示している。外レールユニット２２Ａの保護カバー取り付け部には、保護カバー７０の支軸７１，７１と等間隔に軸受７４，７４が配置される。軸受７４，７４は、有底筒状になっており、これらの開放筒端から軸方向に支軸７１，７１をズラして挿入する。
【００８７】
軸受７４，７４の間には突起７５が形成される。外レールユニット２２Ａに保護カバー７０を取り付けると、突起７５の傾斜面が保護カバー７０の係止爪７３に当たる。
【００８８】
通常時、図３４に示すように、係止爪７３は、その膨出部７３ａのレール面に近い端面（図３４（Ａ）で右下端面）が突起７５の傾斜面に当たって保護カバー７０をレール面に対しほぼ垂直な状態に保つ。
保護カバー７０の上端部を手で持って外側に開くと、図３４（Ｂ）に示すように、膨出部７３ａが突起７５の傾斜面を上るようにズレながら回動し、バネ板７２を撓ませる。そして、保護カバー７０が一定角度まで開くと、膨出部７３ａと突起７５との接触面が切り替わってバネ板７２の撓みが開放され、膨出部７３ａの反対側の端面（図３４（Ａ）で左下端面）が突起部７５の傾斜面に当たって、保護カバー７０の開放角度を保持する（図３４（Ｃ）参照）。
【００８９】
このように本実施形態によれば、保護カバー７０が支軸７１により開閉自在に支持されるため、その開閉操作が簡単になる。また、保護カバー７０の開閉角度が係止爪７３で規制されるため、保護カバー７０を開けたまま片手でも容易にレール面の掃除を行うことができる。
さらに、保護カバー７０の開放角度を起立状態から９０゜未満の範囲に制限することで、保護カバー７０の閉め忘れにも対応することができる。すなわち、上記範囲では、保護カバー７０を開けたままガラス枠１４を締めても、そのガラス板で保護カバー７０が押され、バネ板７２のバネ効果により起立状態（図３４（Ａ））に戻る。この結果、遊技機のメンテナンスも安心して行える。
【００９０】
［他の発明４：遊技盤の脱着用把手］
前記実施形態では、前述したように、遊技盤１５を本体枠１３の前方からその遊技盤装着枠部９３に装着する。このような遊技機においては、その装着操作に伴って遊技盤１５と遊技盤装着枠部９３とを互いに係合しながら、遊技盤１５側の電気接点と本体枠１３側の電気接点とを一対のコネクタで接続している。
本発明では、このような構成を備えた遊技機において、遊技盤側のコネクタの抜き差しを容易にするため、前記遊技盤の背面にコネクタを設けるとともに、この遊技盤の正面側であって前記コネクタの概ね前方位置に取っ手を設ける構成とした。
【００９１】
このような構成によれば、遊技盤の脱着時に、取っ手を持って遊技盤を前後に動かすと、取っ手部分からコネクタに力がかかりやすい。このため、遊技機本体枠から遊技盤を脱着する際に遊技盤を安定して支持できるとともに、コネクタの抜き差しも容易に行える。
【００９２】
具体例を実施形態で示すと、図２に示すように、遊技機１０は、遊技盤１５の下端部に取っ手８０が設けられている。レールユニット２２の下端に凹み付け、この凹みを取っ手８０としている。
図３５に示すように、取っ手８０は、横板８１と縦板８２とを備えており、横板８１の正面下方に取っ手８０の凹みの一部を覆い隠す縦板８２が延びている。縦板８２の裏側には指を掛けるための空間が形成される。
【００９３】
図２７に示すように、遊技盤１５の背面には、集合樋６１上にコネクタ８４が設けられる。コネクタ８４には、例えば遊技盤前面の図柄表示装置３０等を制御する副制御装置のコネクタ接続配線の他端側コネクタ８５が接続される（図３５参照）。
取っ手８０とコネクタ８４との位置関係は、コネクタ８４のベース板２１を挟んで概ね前方位置に取っ手部８０が設けられている。すなわち、取っ手８０を前後に動かしたときに、その力がコネクタ８４に作用しやすい位置関係にある。
【００９４】
本体枠１３から遊技盤１５を取り外す場合、取っ手８０に指を掛けて遊技盤１５を支えるとともに、取っ手８０を前方に引っ張ると、その力でコネクタ８４も前方に引っ張られる。これにより、図３６に示すように、コネクタ８５から遊技盤１５のコネクタ８４が簡単に外れる。また、本体枠１３に遊技盤１５を取り付ける場合には、取っ手８０に指を掛けて遊技盤１５を支えるとともに、取っ手８０を後方に押し込むと、コネクタ８４も後方に押されて副制御装置のコネクタ８５に容易に差し込むことができる。
【００９５】
［他の発明５：レールユニットの圧入ピン収納構造］
前記実施形態のように複数の圧入ピンを有するレールユニットは、レールユニットを積み重ねると、圧入ピンが隣り合うレールユニットに当たり、ユニット間に隙間を形成するため、嵩張りやすく、運搬や保管等の取り扱いが不便である。
【００９６】
本発明の遊技機は、複数の圧入ピンを有するレールユニットを備えた遊技機において、このレールユニットの圧入ピンと反対側のユニット面に、隣り合う他のレールユニットの圧入ピンを収納可能な収納穴を設ける構成とした。
【００９７】
このような構成によれば、レールユニットを積み重ねる際に、重なり合ったレールユニットの収納穴に圧入ピンを収納することで、ユニット間に隙間が少なくなる。この結果、レールユニットをコンパクトに積み重ねることができ、運搬・保管等の取り扱いが便利になる。
なお、本発明は、圧入ピンだけでなく、レールユニット背面に突出するボスなどの他の突出部に適用してもよい。
【００９８】
本実施形態では、外レールユニット２２Ａに本発明を適用している。図６に示すように、外レールユニット２２Ａの背面には、レール面に沿って４つの圧入ピン３２ａ〜３２ｄが設けられる。また、ユニット下部にはボスＢ１が突出している。
これらの４つの圧入ピン３２ａ〜３２ｄの反対側すなわちレールユニット２２Ａの前面側には、収納穴１００ａ〜１００ｄ（図４参照）が設けられる。また、ボスＢ１の反対側の位置には収納穴１０１が設けられている。収納穴１００ａ〜１００ｄおよび１０１は、圧入ピン３２ａ〜３２ｄおよびボスＢ１とほぼ同軸線上にある。
【００９９】
外レールユニット２２Ａを複数重ねると、図３７に示すように、これらの圧入ピン３２ａ〜３２ｄとボスＢ１が隣り合う外レールユニット２２Ａの収納穴１００ａ〜１００ｄおよび１０１に嵌まる。この結果、外レールユニット２２Ａの間の隙間がなくなり、コンパクトな形態で外レールユニット２２Ａの運搬や保管等を行うことができる。
【０１００】
［他の発明６：レールユニットのロック機構］
従来、複数に分割されたレールユニット（外レールユニット、中間レールユニットおよび内レールユニット）は、取り扱いが容易な分割状態で運搬、保管され、遊技盤（ベース板）にそれぞれ組み付けられる。しかし、隣り合うユニットを、球の滑走、転動に支障がないようそれらの弧状のレール面を正確に一致させながら遊技盤（ベース板）に組み付けるのは面倒な作業であった。
そこで、前記実施形態に示す本発明では、複数に分割されたレールユニット（外レールユニット２２Ａ、中間レールユニット２２Ｂおよび内レールユニット２２Ｃ）を組み合わせて遊技領域を区画する構成を備えた遊技機おいて、分割された前記レールユニットのうち、少なくとも２以上のユニット同士（中間レールユニット２２Ｂ、内レールユニット２２Ｃ）を回動可能に軸支する構成とした。
【０１０１】
このような構成によれば、遊技盤（ベース板）の前面にレールユニットを組み付ける前に、レールユニットを運搬、保管等する場合、回動可能に軸支されたユニット同士を閉じてコンパクトな形態に折り畳むことができ、運搬、保管等に面倒がない。一方、遊技盤（ベース板）にレールユニットを組み付けるときには、回動軸を中心にユニット同士を回動させれば、遊技領域を区画する形状になるようにレールユニットを直ぐに展開することができ、かつ隣り合うユニットの弧状のレール面を容易に一致させて組み付けることができる。
【０１０２】
前記発明において、回動可能に軸支されたレールユニットの運搬、保管等の際には、ユニット同士を閉じた状態に保ってもガタ付きやグラ付きが生じることがある。また、レールユニットを遊技盤（ベース板）に組み付ける場合には、レールユニットを展開しつつ、これらのレール面（図３参照）を展開方向で容易に位置決めできればなおよい。
【０１０３】
そこで、本発明の遊技機を、当該２以上に分割された前記レールユニットを軸支する構成とした上で、前記レールユニットには互いにスライドしながら重なり合う重合部を形成し、これらの重合部に、回動軸を中心に前記レールユニットを閉じたときと、前記レールユニットのレール面が一致したときとにそれぞれ嵌合し合うロック爪およびロック穴を設ける構成とする。
【０１０４】
このような構成によれば、回転軸で軸支されたユニット同士を閉じる場合には、その重合部をスライドさせて、予め閉じ位置に設けたロック爪とロック穴とを嵌め合わせる。すると、ユニット同士が閉じたままロックされ、運搬等の取り扱いが容易になる。
また、レールユニットを展開する場合には、展開位置に設けたロック爪とロック穴とを嵌め合わせると、展開方向においても簡単かつ正確にユニット同士のレール面を一致させることができる。
【０１０５】
具体例を実施形態で示すと、遊技機１０のレールユニット２２は、外レールユニット２２Ａ、中間レールユニット２２Ｂ、および内レールユニット２２Ｃに分割されている。これらのユニットのうち、図３８に示すように、中間レールユニット２２Ｂと内レールユニット２２Ｃが連結ネジ２６（回転軸）で回動可能に軸支されている。中間レールユニット２２Ｂおよび内レールユニット２２Ｃには、連結ネジ２６のボス１１０、１１１が形成され、これらのボス１１０、１１１が互いに重なり合っている。
図３９に示すように、中間レールユニット２２Ｂのボス１１０にはロック穴Ｍ１、Ｍ２が開口している。一方、内レールユニット２２Ｃのボス１１１にはロック穴Ｍ１およびＭ２に嵌合可能なロック爪１１２が図３９で下向きに突出している。これらのロック穴Ｍ１、Ｍ２およびロック爪１１２は、連結ネジ２６の中心に対して同心円上にある。
【０１０６】
中間レールユニット２２Ｂと内レールユニット２２Ｃとを閉じる場合、ボス１１０とボス１１１とをスライドさせ、図３８に示すように、ロック穴Ｍ２にロック爪１１２が嵌るようにする。このとき、図４０に示すように、連結ネジ２６を中心として中間レールユニット２２Ｂと内レールユニット２２Ｃとが折り畳まれ、これらの運搬や保管に便利な形態になる。
【０１０７】
一方、図４０に示す状態から、連結ネジ２６の周りに内レールユニット２２Ｃを反時計回りに回動させると、重合部１１０，１１１がスライドし、図３８に示すように、ロック穴Ｍ１にロック爪１１２が嵌まる。同時に、中間レールユニット２２Ｂと内レールユニット２２Ｃのレール面が一致することになる（図７参照）。
【０１０８】
本実施形態では、図４１および図４２に示すように、中間レールユニット２２Ｂと内レールユニット２２Ｃの連結ネジ２６から離れた位置に重合片１１４，１１５を設け、これらの接触面にロック穴Ｍ３とロック爪１１６とをそれぞれ形成している。
例えば図４２の状態から、中間レールユニット２２Ｂと内レールユニット２２Ｃとを展開してレール軌道を形成する場合、連結ネジ２６の周りに内レールユニット２２Ｃを反時計回りに回動させると、重合片１１４，１１５がスライドし、ロック穴Ｍ３にロック爪１１６が嵌まって中間レールユニット２２Ｂと内レールユニット２２Ｃのレール面が一致し、図４１に示す状態となる。
このように中間レールユニット２２Ｂおよび内レールユニット２２Ｃにロック穴Ｍ１，Ｍ２，Ｍ３とロック爪１１２，１１６を採用することで、レールユニットの運搬、収納等の取り扱いが容易になり、かつ、レールユニットの展開時のレール面の位置合わせを簡単かつ正確に行うことができる。
【符号の説明】
【０１０９】
１０    遊技機
１２    外枠
１３    本体枠（基枠）
１４    ガラス枠
１５    遊技盤
１６    ヒンジ
２１    ベース板
２２    レールユニット
２５    連結ピン
２６    連結ネジ
３１ａ〜３１ｉ  ボス
３２ａ〜３２ｈ  圧入ピン
４０    台座
５０    除電金具
５１    平板部（中継部）
５８    板刃（貫入部）
６１    集合樋
７０    保護カバー
７１    支軸
７２    バネ板
７３    係止爪
７４    軸受
８０    取手
８４、８５    コネクタ
９１ａ〜９１ｄ  コーナ飾り
９２    係止溝
９３    遊技盤装着枠部
９４    係止爪
９５    角取り面
９６    仕切板
９２ａ  溝壁面
９２ｂ  溝壁面（逃げ面）
１００ａ〜１００ｄ  収納穴
１１２，１１６  ロック爪
Ｂ１，Ｂ２  ボス
Ｈ１，Ｈ２  ネジ穴
Ｌ    セル画シート
Ｍ１，Ｍ２，Ｍ３  ロック穴
Ｒ    案内レール
Ｒ１，Ｒ２  レール面
Ｗ    小窓
【図１】
2010155125.tif 000003
【図２】
2010155125.tif 000004
【図３】
2010155125.tif 000005
【図４】
2010155125.tif 000006
【図５】
2010155125.tif 000007
【図６】
2010155125.tif 000008
【図７】
2010155125.tif 000009
【図８】
2010155125.tif 000010
【図９】
2010155125.tif 000011
【図１０】
2010155125.tif 000012
【図１１】
2010155125.tif 000013
【図１２】
2010155125.tif 000014
【図１３】
2010155125.tif 000015
【図１４】
2010155125.tif 000016
【図１５】
2010155125.tif 000017
【図１６】
2010155125.tif 000018
【図１７】
2010155125.tif 000019
【図１８】
2010155125.tif 000020
【図１９】
2010155125.tif 000021
【図２０】
2010155125.tif 000022
【図２１】
2010155125.tif 000023
【図２２】
2010155125.tif 000024
【図２３】
2010155125.tif 000025
【図２４】
2010155125.tif 000026
【図２５】
2010155125.tif 000027
【図２６】
2010155125.tif 000028
【図２７】
2010155125.tif 000029
【図２８】
2010155125.tif 000030
【図２９】
2010155125.tif 000031
【図３０】
2010155125.tif 000032
【図３１】
2010155125.tif 000033
【図３２】
2010155125.tif 000034
【図３３】
2010155125.tif 000035
【図３４】
2010155125.tif 000036
【図３５】
2010155125.tif 000037
【図３６】
2010155125.tif 000038
【図３７】
2010155125.tif 000039
【図３８】
2010155125.tif 000040
【図３９】
2010155125.tif 000041
【図４０】
2010155125.tif 000042
【図４１】
2010155125.tif 000043
【図４２】
2010155125.tif 000044
【手続補正書】
【提出日】平成22年4月23日(2010.4.23)
【手続補正１】
【補正対象書類名】明細書
【補正対象項目名】全文
【補正方法】変更
【補正の内容】
【発明の詳細な説明】
【技術分野】
【０００１】
本発明は、遊技機に関するもので、詳しくは、遊技盤のコーナ飾りの角取り（面取り）構造に関するものである。
【背景技術】
【０００２】
パチンコ機等の遊技機は、遊技盤の入れ替えや各種装置の修理などの際に、基枠に遊技盤を装着したり、また、基枠から遊技盤を取り外せるようになっている。近年、図柄表示装置等が大型化され、これに応じて遊技盤の荷重が増加する傾向にある。
【０００３】
従来、このような遊技盤を基枠に堅固に固定するために、遊技盤の四隅付近で遊技領域を仕切るコーナ飾りに、基枠と遊技盤とを止める可動式の係止具（例えば回動式やバックス式）を設けた遊技機が知られている。この種の遊技機は、例えば特許文献１に示すように、遊技盤の四隅コーナ飾りの側端に、それぞれ上下に２箇所、合計４箇所の係止具を取り付けて、基枠に遊技盤を止める。基枠に遊技盤を嵌め込むときには、基枠の前方から遊技盤を水平に押し込んで、これらの装着状態を保って、前記の４箇所の係止具をロックする。
【０００４】
しかしながら、このような遊技機では、前述の装着作業を、ガラス枠を開放した状態で行う必要があるため、基枠のヒンジ側の狭いスペースに遊技盤を嵌め込み、かつ、上下の係止具をそれぞれロックする操作が極めて厄介で面倒になる。
【０００５】
これに対し、遊技盤の４箇所の係止具のうち、ヒンジ側の係止具を、基枠の係止爪と、コーナ飾りの係止溝との係止構造に代えて、基枠に遊技盤を止める遊技機がある（特許文献２等）。
【０００６】
このような遊技機によると、まず、基枠の前方からヒンジ側に遊技盤を斜めに挿入し、基枠の係止爪にコーナ飾りの係止溝を嵌める。次に、この遊技盤のヒンジ側の側端（固定端）を軸にして、他方の側端（自由端）を回動させて基枠に遊技盤を嵌め込む。この状態で、遊技盤の自由端側の２箇所の係止具をロックすれば、上下左右４箇所の係止具を有する遊技機よりも、簡単に基枠に遊技盤を固定することができる。
【先行技術文献】
【特許文献】
【０００７】
【特許文献１】特開２００３−１４４６３９号公報
【特許文献２】特開平１１−１６９５１９号公報
【発明の概要】
【発明が解決しようとする課題】
【０００８】
ところが、上記のような従来の遊技機の構成では、次のような問題がある。
（１)基枠の係止爪に、コーナ飾りの側端突出部を引っ掛けて、遊技盤の固定端の回動軸とするため、このような引っ掛け部分が破損したり、変形するおそれがある。
（２）基枠のヒンジ側に遊技盤を挿入する際に、コーナ飾りの側端突出部が邪魔になる。
（３）係止爪の爪先にコーナ飾りの側端突出部を引っ掛けるため、基枠と遊技盤との間に係止爪の長さ程度の隙間が生じやすい。
【０００９】
本発明は、このような現状に鑑みなされたもので、コーナ飾りの構造的な強度を高く確保しつつ、基枠に遊技盤をスムーズかつ正確に装着することを可能にした遊技機を提供することを目的としている。
【課題を解決するための手段】
【００１０】
請求項１に係る遊技機は、基枠のヒンジ側に遊技盤を斜め前方から挿入し、この遊技盤を回動させつつ前記基枠に装着するようにしたものであって、
前記基枠のヒンジ側の枠面に設けられる係止爪と、
前記遊技盤のコーナ飾りの側端部に設けられ、前記係止爪に嵌まる溝幅および溝長さを有し、前記係止爪に嵌って前記遊技盤を前記基枠に止める係止溝とを備え、
前記コーナ飾りの前記側端部が、前記遊技盤の盤面後方から前方に向けて盤面の中央側に傾斜する角取り面に形成され、
前記コーナ飾りの前記係止溝の底面が、前記遊技盤の盤面後方から前方に向かって前記係止爪の先端から離れるように前記角取り面と平行に傾斜する逃げ面に形成された、ことを特徴としている。
【００１１】
上記の構成では、基枠に遊技盤を装着する場合、基枠のヒンジ側に遊技盤を斜め前方から挿入し、基枠の係止爪にコーナ飾りの係止溝を嵌め、同時に、基枠の枠面にコーナ飾りの角取り面を向き合わせる。
次いで、遊技盤の一方の側端（固定端）すなわちヒンジ側の側端を軸にして、他方の側端（自由端）を回動させて基枠に遊技盤を嵌め込む。
【００１２】
前述したように、従来のコーナ飾りの構造は、遊技盤の回動時の操作性を高めるために、基枠の係止爪にコーナ飾りの側端突出部を引っ掛けて回動軸とする構成であった。本発明は、このような従来の発想を改め、コーナ飾りの側端部に回動の起点となる突出部を設けず、コーナ飾りの側端部に角取り面を形成して、遊技盤の挿入時および回動時にコーナ飾りの側端部が基枠の枠面と干渉し合わないようにしたものである。
【００１３】
この結果、本発明の構成によれば、コーナ飾りの側端部の構造的な強度を高く保つことができ、しかも、基枠への遊技盤の挿入時および回動時の操作性も向上する。さらに、基枠の枠面にコーナ飾りの角取り面を向き合わせて接近させることができ、基枠と遊技盤との間の隙間を詰めてこれらの装着を行うことが可能になる。コーナ飾りの係止溝内でその逃げ面と係止爪の先端との間に十分な距離を保つことができ、両者の接触を回避することができる。これにより、基枠への遊技盤の装着作業をより快適に行うことが可能になる。
【００１４】
【００１５】
【００１６】
【００１７】
一般に、遊技盤のコーナ飾りは、ベニヤ板等からなるベース板の前面にビス等で固定される。前述したように、コーナ飾りの側端部に係止溝を設けると、この係止溝内にベース板の板面が露出し、基枠の係止爪が係止溝を通してベース板の表面を疵付けるおそれがある。通常、ベース板は、合成樹脂製のコーナ飾りに比べてその表面が柔らかく、凹みや疵が付きやすいので、上記のような不具合を未然に防止しておくのが望ましい。
【００１８】
請求項２に係る遊技機は、請求項１に係る遊技機の構成を有する遊技機であって、ベニヤ板からなるベース板に合成樹脂製のコーナ飾りが取り付けられる遊技盤を備え、前記コーナ飾りの係止溝に、ベース板の板面に密着しかつ前記ベース板の板面と前記係止溝の溝空間を仕切る仕切板が設けられることを特徴としている。
【００１９】
このような構成によれば、コーナ飾りの係止溝が仕切板によりベース板の板面と仕切られるため、係止溝に係止爪を嵌めたときに、係止爪の先端がベース板の板面に直接当たることがない。これにより、ベース板の板面に凹みや疵が付くのを防止することができる。
【００２０】
また、請求項２に係る遊技機によれば、ベース板の表面に仕切板が密着して設けられるため、遊技盤と係止爪との間の隙間を仕切板の厚みで調整し、基枠のヒンジ側における遊技盤の固定状態を安定させることができるという付随的な効果も得ることができる。
【００２１】
【図面の簡単な説明】
【００２２】
【図１】本発明の実施形態による遊技機を示す斜視図である。
【図２】同遊技機の遊技盤を示す斜視図である。
【図３】同遊技機のレールユニットを示す正面図である。
【図４】同レールユニットの外レールユニットを示す正面図である。
【図５】同レールユニットの外レールユニットを示す背面図である。
【図６】同レールユニットの外レールユニットを示す背面斜視図である。
【図７】同レールユニットの中間レールユニットおよび内レールユニットを示す正面図である。
【図８】同レールユニットの中間レールユニットおよび内レールユニットを示す背面図である。
【図９】同レールユニットの中間レールユニットおよび内レールユニットを示す斜視図である。
【図１０】同レールユニットの中間レールユニットおよび内レールユニットを示す側面図である。
【図１１】同遊技機の遊技盤を取り外した状態を示す斜視図である。
【図１２】図１１に示す［Ｙ］部分の部分拡大斜視図である。
【図１３】同遊技機を示す平面図である。
【図１４】同遊技機のコーナ飾りの側端部を示す部分拡大平面図である。
【図１５】同遊技盤のコーナ飾りを示す部分拡大斜視図である。
【図１６】図１５に示す［１６］−［１６］線断面図である。
【図１７】同コーナ飾りの側端部を示すもので、回動前の状態を示す部分拡大断面図である。
【図１８】同コーナ飾りの側端部を示すもので、回動後の状態を示す部分拡大断面図である。
【図１９】同レールユニットの図５および図６に示す［Ｚ］部分の拡大図である。
【図２０】図１９に示す［２０］−［２０］線断面図である。
【図２１】本発明の実施形態による除電金具を示す斜視図である。
【図２２】同除電金具の側面図である。
【図２３】同除電金具の板刃を示す部分拡大断面図である。
【図２４】同除電金具の取付状態を示すもので、（Ａ）は部分拡大平面図、（Ｂ）は部分拡大断面図である。
【図２５】同除電金具と案内レールとの接触状態を示す部分拡大平面図である。
【図２６】同除電金具の板刃の使用状態を示す拡大断面図である。
【図２７】本発明の実施形態による遊技盤を示す背面図である。
【図２８】同遊技盤の背面斜視図である。
【図２９】同遊技盤のレールユニットと集合樋との共締め構造を示す部分拡大断面図である。
【図３０】本発明の実施形態による遊技盤の外レール始端付近を示す部分拡大正面図である。
【図３１】同遊技盤の外レールの保護カバーを示す正面図である。
【図３２】同保護カバーの斜視図である。
【図３３】同保護カバーの取付部分の構成を示す斜視図である。
【図３４】同保護カバーの作用説明図である。
【図３５】本発明の実施形態による遊技盤の取手の使用状態を示す断面図である。
【図３６】同遊技盤の背面のコネクタを取り外した状態を示す断面図である。
【図３７】本発明の実施形態によるレールユニットを重ね合わせた状態を示す模式断面図である。
【図３８】同レールユニットの中間レールユニットおよび内レールユニットの連結部分の構成を示す拡大平面図である。
【図３９】同レールユニットの中間レールユニットおよび内レールユニットの連結部分の作用を説明するための拡大平面図である。
【図４０】同レールユニットの中間レールユニットと内レールユニットとを折り畳んだ状態を示す平面図である。
【図４１】同レールユニットの中間レールユニットと内レールユニットとの連結部分の構成を示す平面図である。
【図４２】同レールユニットの中間レールユニットと内レールユニットとの連結部分の作用を説明するための平面図である。
【発明を実施するための形態】
【００２３】
以下、本発明の実施の形態を図面に基づいて説明する。本実施形態は、パチンコ機に本発明を適用したものである。
図１に示すように、遊技機１０は、外枠１２に本体枠（基枠）１３およびガラス枠１４が取り付けられる。本体枠１３に形成された開口の前部には遊技盤装着枠部９３（図１１参照）が設けられ、この遊技盤装着枠部９３に遊技盤１５が脱着可能に取り付けられている。本体枠１３とガラス枠１４とはヒンジ１６により遊技機１０の正面側に開閉するようになっている。
【００２４】
遊技盤１５の下方には遊技球の発射用のハンドル１７が設けられる。ハンドル１７を操作すると、遊技球が発射レール１８に打ち出され、外レール１５ａと内レール１５ｂとの間の誘導通路を通って遊技盤１５の遊技領域Ｐに放出される。
【００２５】
図２に示すように、遊技領域Ｐには、遊技球の落下方向を規制する誘導釘（図示省略）が設けられ、これらの誘導釘の間に抽選図柄を表示する図柄表示装置３０、抽選図柄表示を開始させる始動口２７、一般入賞口２８、大当たり時に開閉して遊技球の入賞を促すアタッカ装置２９等が配置されている（図２参照）。
【００２６】
遊技盤１５は、ベニヤ等の板材からなるベース板２１と、プラスチック成形材（合成樹脂）からなるレールユニット２２とを備えている。遊技盤１５の盤面のうちレールユニット２２に囲まれる部分に遊技領域Ｐが仕切られる。遊技領域Ｐの盤面には、セル画シートが貼られており、そのシート面に図柄、文字、キャラクター、背景などの遊技を盛り上げる装飾印刷が施されている。遊技者は、ガラス枠１４（図１参照）を通して係る印刷面を見ることになる。
【００２７】
レールユニット２２は、外レールユニット２２Ａ、中間レールユニット２２Ｂ、および内レールユニット２２Ｃからなる。各レールユニット２２Ａ〜２２Ｃの遊技領域Ｐの外側には、ベース板１２の四隅部を覆うコーナ飾り９１ａ〜９１ｄ（図２参照）が一体形成されている。各コーナ飾り９１ａ〜９１ｄは、上下および左右で互いに連なっており、遊技領域Ｐの外側の盤面をほぼ全面覆っている。
【００２８】
外レールユニット２２Ａは、外レール始端付近から遊技盤１５の左側端部を通って遊技盤１５の上端部に達し、外レール終端付近まで延びる。中間レールユニット２２Ｂは、外レール終端付近から遊技盤１５の右側端部を通って下方に延び、遊技盤１５の下部中央付近まで延びる。そして、内レールユニット２２Ｃは、遊技盤１５の下部中央付近から外レールユニット２２Ａの内側面に沿って上方に延びる。
図３に示すように、外レールユニット２２Ａと中間レールユニット２２Ｂとは、連結ピン２５で連結されており、一方、中間レールユニット２２Ｂと内レールユニット２２Ｃとは、連結ネジ２６で連結されている。
【００２９】
図５および図６に示すように、外レールユニット２２Ａの裏面には、固定ネジを通すボス３１ａ〜３１ｆと、圧入ピン３２ａ〜３２ｄとが所定の間隔を保って形成される。
図８〜図１０に示すように、中間レールユニット２２Ｂと内レールユニット２２Ｃの裏面には、固定ネジを通すボス３１ｇ〜３１ｉと、圧入ピン３２ｅ〜３２ｈとが所定の間隔を保って形成されている。
各レールユニット２２Ａ〜２２Ｃとベース板２１との取り付けは、これらのボス３１ａ〜３１ｉおよび圧入ピン３２ａ〜３２ｈを、予めベース板２１に形成された固定穴に位置合わせし、固定ネジおよび圧入ピン３２ａ〜３２ｈで止めることにより行われる。
【００３０】
図５に示すように、外レールユニット２２Ａのレール長さ方向には、その内周面に沿って金属製の案内レールＲが取り付けられる。案内レールＲのレール面に遊技球が転がり、外レールユニット２２Ａの内周面は遊技球に直接触れることがない。
なお、このような金属製の案内レールＲは、外レールユニット２２Ａのみに採用され、中間レールユニット２２Ｂおよび内レールユニット２２Ｃには採用されない。すなわち、通常の遊技状態では、中間レールユニット２２Ｂおよび内レールユニット２２Ｃのレール面には遊技球の接触する頻度が少ないため、これらのユニット２２Ｂおよび２２Ｃでは、遊技領域Ｐを仕切る樹脂成形面（内周面）がそのまま遊技球のレール面として用いられる。
【００３１】
遊技盤１５のヒンジ側のコーナ飾り９１ａ，９１ｂには、上下２箇所に係止溝９２，９２が形成される（図２参照）。これらの係止溝９２，９２は、後述する本体枠１３の係止爪９４，９４に嵌まる溝幅および溝長さをもつ。
【００３２】
本体枠１３の矩形の遊技盤装着枠部９３には、ヒンジ側の枠面に係止爪９４，９４が形成されている（図１１参照）。係止爪９４，９４は、係止溝９２，９２と等しい間隔および高さで枠面の上下２箇所に配置される。係止爪９４，９４の縦方向には背板部９４ａ（図１２参照）が延びており、この背板部９４ａの背板面と遊技盤装着面９３ａとの間で遊技盤１５の側端部を挟むように止める。
【００３３】
次に、コーナ飾り９１ａ，９１ｂの側端部の構成を説明する。
図１３は、遊技機１０を上から見た平面図である。遊技盤１５のコーナ飾り９１ａ，９１ｂは、その側端部に角取り面９５を有している（図１４参照）。角取り面９５は、遊技盤１５の盤面後方から前方に向かって盤面中央側に傾斜する傾斜面であり、コーナ飾り９１ａ，９１ｂの高さ方向に均一な傾斜を保って延びている（図３参照）。
【００３４】
図１５に示すように、係止溝９２は、コーナ飾り９５ａの角取り面９５を切り欠いて形成される。係止溝９２の溝壁面９２ａ，９２ａと溝壁面９２ｂとがコの字形に連なり、係止爪９４を嵌合するための溝空間を形成している。
【００３５】
溝壁面９２ａ，９２ａは、ベース板２１の盤面に対しほぼ垂直に立ち上がって互いに向き合う。
溝壁面９２ｂは、盤面後方から前方に向かって盤面中央側、すなわち係止爪９４から離れる方向に傾斜する逃げ面となっている（図１６参照）。
【００３６】
係止溝９２の底部には、仕切板１６が設けられる。仕切板９６は、コーナ飾り９１ａ、９１ｂに一体形成されるもので、係止溝９２の溝空間とベース板２１の板面とを仕切っている。仕切板９６の背面は、コーナ飾り９１ａ，９１ｂの裏面に一致し、ベース板２１に密着する。
【００３７】
このように係止溝９２の溝空間に仕切板１６を形成することで、係止爪９４がベース板２１の板面に直接接触することがない。これにより、本体枠１３に遊技盤１５を嵌め込む際に、係止爪９４の先端でベース板２１の表面に凹みやキズが付くのが防止される。
【００３８】
また、コーナ飾り９１ａ，９１ｂの成形型製作時に仕切板１５の板厚Ｄ（図１６参照）を調整することで、遊技盤１５と係止爪９５との隙間を埋めやすいため、遊技盤１５の側端部をガタ付きなく安定した装着状態に保つことが可能になる。
【００３９】
本体枠１３に遊技盤１５を装着する場合、図１７に示すように、本体枠１３にその斜め前方から遊技盤１５を挿入し、係止爪９４に遊技盤１５の係止溝９２を嵌める。このとき、コーナ飾り９１ａ，９１ｂの角取り面９５を遊技盤装着枠部９３の枠面に向き合わせ、遊技盤１５の側端が枠面に突き当たるようにする。
【００４０】
次いで、枠面に突き当たった遊技盤１５の側端（固定端）を軸として、遊技盤１５の他方の側端（自由端）を回動させ、同時に、遊技盤１５の側端（固定端）を枠面に向けて押し込む（図１８参照）。これにより、本体枠１３に遊技盤１５が完全に嵌り込むことになる。
このような状態で、遊技盤１５の自由端側の係止具９０，９０（図２および図３参照）をロックし、本体枠１３に遊技盤１５を固定する。
【００４１】
本実施形態の構成によれば、コーナ飾り９１ａ，９１ｂの側端部が角取り面９５になっているため、遊技盤装着枠部９３の枠面に遊技盤１５の側端（固定端）を突き当てながら、その挿入および回動の操作を行うことができる。すなわち、遊技盤１５の側端（固定端）に突出部等の回転の起点となる部分がなくとも、本体枠１３への遊技盤１５の装着をスムーズに行うことができる。
【００４２】
また、コーナ飾り９１ａ，９１ｂの側端部が角取り面９５であるから、その構造的な強度を高く保つことができ、破損や変形が起こりにくい。
また、本体枠１３に遊技盤１５の装着時に、コーナ飾り９１ａ，９１ｂの角取り面９５がその作業の邪魔にならない。
さらに、遊技盤装着枠部９３の枠面に向けて遊技盤１５の側端を押し込むことができるため、本体枠１３の枠内に隙間なく遊技盤１５を収めることが可能になる。
【００４３】
さらに、本実施形態では、係止溝９２の溝壁面（逃げ面）９２ｂが係止爪９４の爪先から離れる方向に傾斜しているため、遊技盤１５の装着作業時にその爪先が溝壁面（逃げ面）９２ｂに接触することがない。このため、遊技盤１５の挿入および回動の操作を係止爪９４に邪魔されず快適に行うことができる。
【００４４】
以上、本実施形態による遊技機１０の構成を説明したが、本発明の実施形態はこれに限定されることなく、必要に応じて、その構成の変更を伴ってもよい。
例えば前記実施形態では、係止爪９４，９４と係止溝９２，９２とを遊技盤１５の高さ方向に２箇所設けているが、これらの数を１箇所のみにしてもよいし、また、３箇所以上にしてもよい。
係止爪９４および係止溝９２の長さや幅等についても、上記実施形態に限定されるものではない。
【００４５】
［その他の発明］
次に、遊技機１０に採用されている他の発明について説明する。遊技機１０には、前述したコーナ飾りの係止構造に関する発明の他、各所に複数の発明が適用されている。
【００４６】
［他の発明１：セル画シートの除電構造］
一般に、パチンコ機等の遊技盤は、ベニヤ板等からなる盤面にセル画シートが貼られている。セル画シートは、透明フィルムに印刷された画により遊技盤面を装飾するもので、その中には金属光沢を有するセル画シートがある。そのようなセル画シートは、例えば、ＰＥＴ（ポリエチレンテレフタレート）、キャブロイドなどの透明フィルムに装飾用の図柄を印刷し、これにアルミ箔（金属層）を貼り付け、さらに、この金属層に接着剤で裏打ち紙を貼り付けて形成されている。そして、このような金属層による光の反射によって、印刷された図柄や背景にメタリックな風合いが加味され、遊技領域に独特の趣を醸し出す。
【００４７】
ところが、このようなセル画シートは、遊技時にその金属層に静電気を帯びやすく、これが原因で遊技球が役物や釘等に接触した際にスパークし、各種制御装置の誤動作を招く電磁波ノイズを引き起こしやすい。
【００４８】
そこで、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、
前記セル画シートに打ち込まれてその金属層に接触する貫入部と、
前記貫入部に連なって前記遊技盤表面に露出し、前記遊技盤周囲の所定のアース端子に接触する中継部とを備える構成とした。
【００４９】
本発明の遊技機によれば、遊技盤の表面に除電金具を打ち込むと、その貫入部がセル画シートを貫いてシート内部の金属層に接触する。一方、除電金具の中継部は、遊技機に設置される既存のアース端子（例えばガラス枠の骨格鉄板）に接触する。これにより、セル画シートの金属層が除電金具を介してアースされることになり、金属層に静電気が発生しても、直ちにその電荷を外部へ逃がすことが可能になる。
【００５０】
また、本発明の遊技機は、遊技盤の表面に、金属層を有するセル画シートを貼り付けてなる遊技機であって、
前記遊技盤の盤面に前記セル画シートを通して打ち込まれる除電金具を備え、
この除電金具は、前記セル画シートに打ち込まれてその金属層に接触する貫入部を有しており、かつ、この前記貫入部が板刃であるとよい。
【００５１】
このような構成によれば、セル画シートに板刃状の除電金具を打ち込むため、セル画シートがその刃先で分断され、下方に押し込まれた透明フィルム層が周面を覆ったり、削り屑が生じることがなく、板刃側面が金属層に接触しやすくなる。また、板刃と金属層との接触面積が大きくなるため、広い導電通路を確保することができる。なお、前記板刃には、鋸切り刃、ナイフ刃の他、弧状または筒状の刃も含む。
【００５２】
以下、本発明の具体例を遊技機１０の構成に基づいて説明する。
外レールユニット２２Ａの裏面側であって、図５および図６［Ｚ］部分に示す外レール終端部の拡大図を図１９（Ａ）および（Ｂ）に示した。
図１９（Ａ）に示すように、外レール終端付近の裏面は、除電金具５０を取り付けるための台座４０になっており、この台座４０に除電金具５０が所定の向きにセットされる。
台座４０とベース板２１との間に除電金具５０がセル画シートと接触した状態で挟まれることになる。
【００５３】
図２０に示すように、台座４０は、ユニット前面パネル４１に立ち上げられたボス３１ａ、仕切壁４４、４５、４６等から構成される。ボス３１ａは、外レール始端付近でベース板２１に外レールユニット２１Ａをネジ固定するためのボスである。
ボス３１ａおよび仕切壁４４、４５、４６は、図２０で上端面が均一の高さに統一されており、これらの端面で除電金具５０を支持するようになっている。
【００５４】
台座４０のボス３１ａの両側には一対の支持ピン４８が形成される（図１９参照）。これらの支持ピン４８の先端は、ボス３１ａの上端面（除電金具５０の支持面）よりの高い位置まで突出し、支持ピン４８間で除電金具５０を挟めるようになっている。
【００５５】
ユニット側面パネル４２と仕切壁４４との間には、後述する除電金具５０の凸折り部（屈曲面）の収納スペースが設けられる。この収納スペースは、ユニット前面パネル４１に開口する小窓Ｗ（図２０参照）により遊技盤１５の前面側に開放されている。
【００５６】
図２１および図２２に示すように、除電金具５０は、金属製の帯板を折り曲げて形成されるもので、その平板部５１の一端に斜め折り部５２を有し、他端に縦折り部５３および横折り部５４が連なっている。横折り部５４のほぼ中間位置には断面Ｕ字形の凸折り部５５が設けられる。
【００５７】
平板部５１にはネジ穴Ｈ１が形成される。ネジ穴Ｈ１は、台座４０に除電金具５０をセットしたときにボス３１ａのネジ穴Ｈ２と重なる位置にある（図２０参照）。すなわち、これらのネジ穴Ｈ１およびＨ２に同時に固定ネジを通せるようになっている。
【００５８】
ネジ穴Ｈ１の周方向にはその穴面に沿って鋸歯状の板刃５８が連なっている。図２３に示すように、板刃５８の板面は、ささくれ状になってネジ穴Ｈ１の外側（ネジ穴軸方向）に向いており、その先端は鋸歯状に分断され、鋭角の刃先が環状に並ぶ。なお、このようなささくれ状の板刃３１ａは、例えば平板部５１の板面に先端十字形の穴あけ工具等を突き刺すことで形成することができる。
【００５９】
平板部５１のネジ穴Ｈ１を挟んだ両側端には円弧溝Ｋ１およびＫ２が形成される。図２４に示すように、これらの円弧溝Ｋ１とＫ２との距離は、前述の支持ピン４８，４８の間の距離にほぼ等しい。この結果、支持ピン４８，４８の間に円弧溝Ｋ１とＫ２を合わせることで、台座４０に除電金具５０を仮止めすることができる。また、仮止めによってボス３１ａのネジ穴Ｈ２と、平板部５１のネジ穴Ｈ１とを簡単に位置合わせすることができる。
【００６０】
図２５に示すように、斜め折り部５２は、除電金具５０の長さ方向に対しほぼ４５゜の角度で折り曲げられる。斜め折り部５２の外側面には、ドーム形の凸部５２ａが形成されている。台座４０に除電金具５０をセットすると、仕切壁４６と案内レールＲとの間の隙間に斜め折り部５２が収まり、凸部５２ａが案内レールＲに接触する。すなわち、この凸部５２ａと案内レールＲとの接触により、案内レールＲと除電金具５０との導電通路が確保されることになる。
【００６１】
縦折り部５３および横折り部５４は、平板部５１に対してそれぞれほぼ垂直および平行な折り曲げ角をなしている。縦折り部５３の長さは、ユニット側面パネル４２と仕切壁４４との間の収納スペースの深さにほぼ一致する。この結果、図２０に示すように、収納スペースの底位置まで縦折り部５３を挿入することができ、このとき、横折り部５４の板面が収納スペースの底面（ユニット前面パネル４１の裏面）に重なる。
【００６２】
縦折り部５３および横折り部５４のそれぞれの折曲線付近には、矩形の貫通穴Ｓ１、Ｓ２が形成される（図２１参照）。これらの貫通孔Ｓ１、Ｓ２は、除電金具５０の板面の歪みを吸収する役割を果たす。
また、貫通孔Ｓ１は、図２０に示すように、仕切壁４４の突起４４ａに嵌まり、台座４０への除電金具５０の取付状態を安定させる。
【００６３】
凸折り部５５は、横折り部５４の板面にほぼ垂直に立ち上げられており、台座４０に除電金具５０をセットしたとき、その凸折り部５５がユニット前面パネル４１の小窓Ｗに嵌る（図２０参照）。遊技盤１５の正面からレールユニット２２のレール終端付近を見ると、ユニット前面に凸折り部５５が突出した状態となる（図１および図２参照）。
【００６４】
図１に示すように、ガラス枠１４の背面側には、フレーム骨格となる鉄板が露出しており、この鉄板の一部を折り曲げて舌片状のアース端子５９が形成される。アース端子５９は、ガラス枠１４のフレーム骨格（金属部）を含む遊技機１０の既存のアース配線によって接地される。図１に示す遊技機１０の開放状態から、ガラス枠１４を本体枠１３側に閉じると、アース端子５９が除電金具５０の凸折り部５５に接触し、除電金具５０がアース配線に接続される。
【００６５】
除電金具５０とアース端子５９との接触は、ガラス枠の閉鎖時にアース端子５９に凸折り部５５が押されて撓むことによって行われる。このため、アース端子５９の金属面に凸折り部５５の屈曲面が弾性変形して密着する格好となり、その接触状態が良好に保たれる。
【００６６】
次に、遊技機１０による静電気の除電作用について説明する。
ベース板２１にレールユニット２２を固定する場合、台座部４０に除電金具５０をセットし、ボス３１ａにネジを通してベース板２１に締め込むと、図２６に示すように、ネジＮによってレールユニット２２全体がベース板２１に向かって押し付けられ、同時にボス３１ａとベース板２１との間に挟まれた除電金具５０の板刃５８がセル画シートＬを突き破ってベース板２１に刺さる。そして、板刃５８の側面がセル画シートＬの金属層Ｌ３に接触し、金属層Ｌ３をアースすることになる。なお、図２６に示すセル画シートＬにおいて、最下層Ｌ１は裏打ち紙層、第２層Ｌ２は接着材層、第３層Ｌ３はアルミ箔等の金属層、第４層Ｌ４はインク層、最上層Ｌ５（表面層）は透明フィルム層を示している。
【００６７】
このように遊技機１０によれば、セル画シートＬの金属層Ｌ３が板刃５８を介して除電金具５０に接触し、アースされるまでの経路を形成するため、金属層Ｌ３に静電気が帯電しても、除電金具５０から前述のアース端子を通して静電気が直ちに外部に放出される。
この結果、遊技機１０に静電気による電磁波ノイズが発生しにくく、制御装置等の誤動作を未然に防止することができる。
【００６８】
また、遊技機１０は、板刃５８の刃先をセル画シートＬに差し込んで金属層Ｌ３と接触する構成であるため、セル画シートＬの各層が板刃５８と一緒にベース板２１の下方に押し込まれにくい。これにより、除電金具５０と金属層Ｌ３とが他の層に邪魔されることなく確実に接触し、導電通路の信頼性が高まる。
【００６９】
また、除電金具５０のネジ穴Ｈの穴面に沿って板刃５８を立ち上げているので、除電金具５０をネジＮで固定する際に同時に板刃５８をセル画シートＬに差し込むことができ、除電金具５０の取り付けの手間も少ない。
【００７０】
また、前述したように、除電金具５０はその斜め折り部５２で金属製の案内レールＲとも接触しているので、例えば発射球が帯電しているような場合に案内レールＲが静電気を帯びても、このような静電気を同時に除去することができる。
さらに、除電金具５０は、帯板材を折り曲げて形成する簡単な構成であるため、製造コストも比較的少なくて済む。
【００７１】
なお、本実施形態は、必要に応じて、その構成部分の変更を伴ってもよい。例えば前記実施形態では除電金具５０を外レールユニット２２Ａに取り付けているが、これに代えて、中間レールユニット２２Ｂや内レールユニット２２Ｃに取り付けるようにしてもよい。
また、除電金具５０の板刃５８は、ネジ穴Ｈ１の穴面に沿って環状に複数並んでいるが、これらは必ずしも全て設ける必要はなく、歯抜け状の板刃にしたり、歯無しの筒状板刃の構成にしてもよい。また、除電金具５０の板刃は、筒状に限定されるものではなく、平板状であってもよい。
【００７２】
［他の発明２：遊技盤の共締め構造］
前記実施形態のように遊技盤１５にレールユニット２２を有するタイプの遊技機では、ベース板２１にレールユニット２２を固定するための圧入ピンの数が多くなりやすい。このため、ベース板２１にレールユニット２２を固定する際の作業工程が煩雑だったり、固定装置の大型・複雑化を招くといった問題が生じることがある。
【００７３】
一方、遊技盤の背面には、通常、遊技球を回収するための集合樋が取り付けられる。集合樋は、ベース板の背面にネジ等で固定されるのが一般的である。
【００７４】
前述したような問題点を解決するため、本発明は、レールユニットの固定手段と、集合樋の固定手段を兼用する点に着目した。
すなわち、本発明の遊技機は、ベース板の前面にレールユニット、背面に集合樋を固定する遊技盤を備えた遊技機において、  
前記ベース板の所定位置に貫通孔を形成し、前記レールユニットおよび前記集合樋をそれぞれ前記貫通孔に位置合わせしてネジで共締めする構成とした。
【００７５】
このような構成によれば、レールユニットの固定ネジと、集合樋の固定ネジとが共通化されるため、両者の固定作業を同時に行うことができ、作業工程が大幅に簡略化される。
また、レールユニットを固定するための専用の圧入ピンやネジの本数を減らすことができるため、固定装置の大型・複雑化を招きにくくなる。
【００７６】
具体例を実施形態で示すと、レールユニット２２は、外レールユニット２２Ａの下部であって、その側端付近に上下に２箇所のボスＢ１（図６参照）、また、中間レールユニット２２Ｂの下部であって、その側端付近に上下に２箇所のボスＢ１が形成されている（図９および図１０参照）。
【００７７】
図２７および図２８に示すように、ベース板２１の背面下部には集合樋６１および基板ボックス６２が固定されており、このうち、集合樋６１の四隅部にボスＢ１と等しい間隔を保って４つのボスＢ２が形成されている。
【００７８】
図２９に示すように、ベース板２１の下部には、前述のボスＢおよびＢ２に一致する位置に貫通孔Ｔが形成される。
ベース板２１にレールユニット２２と集合樋６１とを固定する場合、ベース板２１を挟んで貫通孔Ｔに両者のボスＢおよびＢ２を位置合わせし、ネジ６３によって共締めする。
【００７９】
このようにベース板２１にレールユニット２２と集合樋６１とを共締めすることにより、これらの固定作業が簡略化される。また、レールユニット２２の圧入ピン３２ａ〜３２ｈ（図６、図１０参照）が比較的少ない本数で済み、ベース板２１にレールユニット２２を圧入するための固定装置の小型化が行いやすく、固定装置への位置合わせ等の作業が簡単になる。
【００８０】
［他の発明３：保護カバーの開閉機構］
遊技盤の外レール始端付近には、ファール球（落下球）と発射球とが衝突した弾みで正面ガラスに当たるのを防止するために保護カバーが設けられることがある。通常は、レール面に対し保護カバーをほぼ垂直に立てて保持し、一方、レール面を掃除するときには、保護カバーを取り外すか、または、可撓性材料からなる保護カバーを折り曲げてレール面を覗けるようにしている。
しかしながら、このような従来の保護カバーは、一旦保護カバーを取り外すと、その取り付けが面倒である。また、保護カバーを折り曲げた状態では、掃除の際に保護カバーが邪魔になりやすい。
【００８１】
前記問題点を解決するため、本発明の遊技機は、遊技盤の外レール始端付近に、レール面を覆う保護カバーを有する遊技機において、
前記保護カバーは、前記遊技盤の正面側に支軸により開閉可能に支持されており、かつ、前記保護カバーの開閉軸付近に、前記保護カバーの開閉角度を規制する係止爪を備える構成とした。
【００８２】
このような構成によれば、保護カバーが前記遊技盤の正面側に支軸によって開閉可能に支持されるため、その開閉操作を簡単に行える。また、係止爪で保護カバーの開放角度を一定に保っておくことができるため、レール面を掃除する際に、保護カバーが邪魔になりにくい。
【００８３】
具体例を本実施形態で示すと、図３０に示すように、外レールユニット２２Ａのレール始端付近に保護カバー７０が取り付けられる。保護カバー７０は、ガラス枠１４の内側であって、案内レールＲを覆う位置に取り付けられている。
【００８４】
図３１および図３２に示すように、保護カバー７０は、透明なプラスチック材料からなり、案内レールＲの弧状のレール面に沿って帯状に延びている。保護カバー７０の下端には支軸７１，７１が一体形成される。支軸７１，７１が外レールユニット２２Ａの軸受７４（図３０参照）に嵌って回動することで、保護カバー７０が遊技盤１５の正面側に開閉する。
【００８５】
保護カバー７０の下端には、２個の平行な開放スリットの間にバネ板７２が形成される。このバネ板７２の先端であって、保護カバー７０の開閉軸付近に係止爪７３が形成されている。
【００８６】
図３３は、外レールユニット２２Ａから保護カバー７０を取り外した状態を示している。外レールユニット２２Ａの保護カバー取り付け部には、保護カバー７０の支軸７１，７１と等間隔に軸受７４，７４が配置される。軸受７４，７４は、有底筒状になっており、これらの開放筒端から軸方向に支軸７１，７１をズラして挿入する。
【００８７】
軸受７４，７４の間には突起７５が形成される。外レールユニット２２Ａに保護カバー７０を取り付けると、突起７５の傾斜面が保護カバー７０の係止爪７３に当たる。
【００８８】
通常時、図３４に示すように、係止爪７３は、その膨出部７３ａのレール面に近い端面（図３４（Ａ）で右下端面）が突起７５の傾斜面に当たって保護カバー７０をレール面に対しほぼ垂直な状態に保つ。
保護カバー７０の上端部を手で持って外側に開くと、図３４（Ｂ）に示すように、膨出部７３ａが突起７５の傾斜面を上るようにズレながら回動し、バネ板７２を撓ませる。そして、保護カバー７０が一定角度まで開くと、膨出部７３ａと突起７５との接触面が切り替わってバネ板７２の撓みが開放され、膨出部７３ａの反対側の端面（図３４（Ａ）で左下端面）が突起部７５の傾斜面に当たって、保護カバー７０の開放角度を保持する（図３４（Ｃ）参照）。
【００８９】
このように本実施形態によれば、保護カバー７０が支軸７１により開閉自在に支持されるため、その開閉操作が簡単になる。また、保護カバー７０の開閉角度が係止爪７３で規制されるため、保護カバー７０を開けたまま片手でも容易にレール面の掃除を行うことができる。
さらに、保護カバー７０の開放角度を起立状態から９０゜未満の範囲に制限することで、保護カバー７０の閉め忘れにも対応することができる。すなわち、上記範囲では、保護カバー７０を開けたままガラス枠１４を締めても、そのガラス板で保護カバー７０が押され、バネ板７２のバネ効果により起立状態（図３４（Ａ））に戻る。この結果、遊技機のメンテナンスも安心して行える。
【００９０】
［他の発明４：遊技盤の脱着用把手］
前記実施形態では、前述したように、遊技盤１５を本体枠１３の前方からその遊技盤装着枠部９３に装着する。このような遊技機においては、その装着操作に伴って遊技盤１５と遊技盤装着枠部９３とを互いに係合しながら、遊技盤１５側の電気接点と本体枠１３側の電気接点とを一対のコネクタで接続している。
本発明では、このような構成を備えた遊技機において、遊技盤側のコネクタの抜き差しを容易にするため、前記遊技盤の背面にコネクタを設けるとともに、この遊技盤の正面側であって前記コネクタの概ね前方位置に取っ手を設ける構成とした。
【００９１】
このような構成によれば、遊技盤の脱着時に、取っ手を持って遊技盤を前後に動かすと、取っ手部分からコネクタに力がかかりやすい。このため、遊技機本体枠から遊技盤を脱着する際に遊技盤を安定して支持できるとともに、コネクタの抜き差しも容易に行える。
【００９２】
具体例を実施形態で示すと、図２に示すように、遊技機１０は、遊技盤１５の下端部に取っ手８０が設けられている。レールユニット２２の下端に凹み付け、この凹みを取っ手８０としている。
図３５に示すように、取っ手８０は、横板８１と縦板８２とを備えており、横板８１の正面下方に取っ手８０の凹みの一部を覆い隠す縦板８２が延びている。縦板８２の裏側には指を掛けるための空間が形成される。
【００９３】
図２７に示すように、遊技盤１５の背面には、集合樋６１上にコネクタ８４が設けられる。コネクタ８４には、例えば遊技盤前面の図柄表示装置３０等を制御する副制御装置のコネクタ接続配線の他端側コネクタ８５が接続される（図３５参照）。
取っ手８０とコネクタ８４との位置関係は、コネクタ８４のベース板２１を挟んで概ね前方位置に取っ手部８０が設けられている。すなわち、取っ手８０を前後に動かしたときに、その力がコネクタ８４に作用しやすい位置関係にある。
【００９４】
本体枠１３から遊技盤１５を取り外す場合、取っ手８０に指を掛けて遊技盤１５を支えるとともに、取っ手８０を前方に引っ張ると、その力でコネクタ８４も前方に引っ張られる。これにより、図３６に示すように、コネクタ８５から遊技盤１５のコネクタ８４が簡単に外れる。また、本体枠１３に遊技盤１５を取り付ける場合には、取っ手８０に指を掛けて遊技盤１５を支えるとともに、取っ手８０を後方に押し込むと、コネクタ８４も後方に押されて副制御装置のコネクタ８５に容易に差し込むことができる。
【００９５】
［他の発明５：レールユニットの圧入ピン収納構造］
前記実施形態のように複数の圧入ピンを有するレールユニットは、レールユニットを積み重ねると、圧入ピンが隣り合うレールユニットに当たり、ユニット間に隙間を形成するため、嵩張りやすく、運搬や保管等の取り扱いが不便である。
【００９６】
本発明の遊技機は、複数の圧入ピンを有するレールユニットを備えた遊技機において、このレールユニットの圧入ピンと反対側のユニット面に、隣り合う他のレールユニットの圧入ピンを収納可能な収納穴を設ける構成とした。
【００９７】
このような構成によれば、レールユニットを積み重ねる際に、重なり合ったレールユニットの収納穴に圧入ピンを収納することで、ユニット間に隙間が少なくなる。この結果、レールユニットをコンパクトに積み重ねることができ、運搬・保管等の取り扱いが便利になる。
なお、本発明は、圧入ピンだけでなく、レールユニット背面に突出するボスなどの他の突出部に適用してもよい。
【００９８】
本実施形態では、外レールユニット２２Ａに本発明を適用している。図６に示すように、外レールユニット２２Ａの背面には、レール面に沿って４つの圧入ピン３２ａ〜３２ｄが設けられる。また、ユニット下部にはボスＢ１が突出している。
これらの４つの圧入ピン３２ａ〜３２ｄの反対側すなわちレールユニット２２Ａの前面側には、収納穴１００ａ〜１００ｄ（図４参照）が設けられる。また、ボスＢ１の反対側の位置には収納穴１０１が設けられている。収納穴１００ａ〜１００ｄおよび１０１は、圧入ピン３２ａ〜３２ｄおよびボスＢ１とほぼ同軸線上にある。
【００９９】
外レールユニット２２Ａを複数重ねると、図３７に示すように、これらの圧入ピン３２ａ〜３２ｄとボスＢ１が隣り合う外レールユニット２２Ａの収納穴１００ａ〜１００ｄおよび１０１に嵌まる。この結果、外レールユニット２２Ａの間の隙間がなくなり、コンパクトな形態で外レールユニット２２Ａの運搬や保管等を行うことができる。
【０１００】
［他の発明６：レールユニットのロック機構］
従来、複数に分割されたレールユニット（外レールユニット、中間レールユニットおよび内レールユニット）は、取り扱いが容易な分割状態で運搬、保管され、遊技盤（ベース板）にそれぞれ組み付けられる。しかし、隣り合うユニットを、球の滑走、転動に支障がないようそれらの弧状のレール面を正確に一致させながら遊技盤（ベース板）に組み付けるのは面倒な作業であった。
そこで、前記実施形態に示す本発明では、複数に分割されたレールユニット（外レールユニット２２Ａ、中間レールユニット２２Ｂおよび内レールユニット２２Ｃ）を組み合わせて遊技領域を区画する構成を備えた遊技機おいて、分割された前記レールユニットのうち、少なくとも２以上のユニット同士（中間レールユニット２２Ｂ、内レールユニット２２Ｃ）を回動可能に軸支する構成とした。
【０１０１】
このような構成によれば、遊技盤（ベース板）の前面にレールユニットを組み付ける前に、レールユニットを運搬、保管等する場合、回動可能に軸支されたユニット同士を閉じてコンパクトな形態に折り畳むことができ、運搬、保管等に面倒がない。一方、遊技盤（ベース板）にレールユニットを組み付けるときには、回動軸を中心にユニット同士を回動させれば、遊技領域を区画する形状になるようにレールユニットを直ぐに展開することができ、かつ隣り合うユニットの弧状のレール面を容易に一致させて組み付けることができる。
【０１０２】
前記発明において、回動可能に軸支されたレールユニットの運搬、保管等の際には、ユニット同士を閉じた状態に保ってもガタ付きやグラ付きが生じることがある。また、レールユニットを遊技盤（ベース板）に組み付ける場合には、レールユニットを展開しつつ、これらのレール面（図３参照）を展開方向で容易に位置決めできればなおよい。
【０１０３】
そこで、本発明の遊技機を、当該２以上に分割された前記レールユニットを軸支する構成とした上で、前記レールユニットには互いにスライドしながら重なり合う重合部を形成し、これらの重合部に、回動軸を中心に前記レールユニットを閉じたときと、前記レールユニットのレール面が一致したときとにそれぞれ嵌合し合うロック爪およびロック穴を設ける構成とする。
【０１０４】
このような構成によれば、回転軸で軸支されたユニット同士を閉じる場合には、その重合部をスライドさせて、予め閉じ位置に設けたロック爪とロック穴とを嵌め合わせる。すると、ユニット同士が閉じたままロックされ、運搬等の取り扱いが容易になる。
また、レールユニットを展開する場合には、展開位置に設けたロック爪とロック穴とを嵌め合わせると、展開方向においても簡単かつ正確にユニット同士のレール面を一致させることができる。
【０１０５】
具体例を実施形態で示すと、遊技機１０のレールユニット２２は、外レールユニット２２Ａ、中間レールユニット２２Ｂ、および内レールユニット２２Ｃに分割されている。これらのユニットのうち、図３８に示すように、中間レールユニット２２Ｂと内レールユニット２２Ｃが連結ネジ２６（回転軸）で回動可能に軸支されている。中間レールユニット２２Ｂおよび内レールユニット２２Ｃには、連結ネジ２６のボス１１０、１１１が形成され、これらのボス１１０、１１１が互いに重なり合っている。
図３９に示すように、中間レールユニット２２Ｂのボス１１０にはロック穴Ｍ１、Ｍ２が開口している。一方、内レールユニット２２Ｃのボス１１１にはロック穴Ｍ１およびＭ２に嵌合可能なロック爪１１２が図３９で下向きに突出している。これらのロック穴Ｍ１、Ｍ２およびロック爪１１２は、連結ネジ２６の中心に対して同心円上にある。
【０１０６】
中間レールユニット２２Ｂと内レールユニット２２Ｃとを閉じる場合、ボス１１０とボス１１１とをスライドさせ、図３８に示すように、ロック穴Ｍ２にロック爪１１２が嵌るようにする。このとき、図４０に示すように、連結ネジ２６を中心として中間レールユニット２２Ｂと内レールユニット２２Ｃとが折り畳まれ、これらの運搬や保管に便利な形態になる。
【０１０７】
一方、図４０に示す状態から、連結ネジ２６の周りに内レールユニット２２Ｃを反時計回りに回動させると、重合部１１０，１１１がスライドし、図３８に示すように、ロック穴Ｍ１にロック爪１１２が嵌まる。同時に、中間レールユニット２２Ｂと内レールユニット２２Ｃのレール面が一致することになる（図７参照）。
【０１０８】
本実施形態では、図４１および図４２に示すように、中間レールユニット２２Ｂと内レールユニット２２Ｃの連結ネジ２６から離れた位置に重合片１１４，１１５を設け、これらの接触面にロック穴Ｍ３とロック爪１１６とをそれぞれ形成している。
例えば図４２の状態から、中間レールユニット２２Ｂと内レールユニット２２Ｃとを展開してレール軌道を形成する場合、連結ネジ２６の周りに内レールユニット２２Ｃを反時計回りに回動させると、重合片１１４，１１５がスライドし、ロック穴Ｍ３にロック爪１１６が嵌まって中間レールユニット２２Ｂと内レールユニット２２Ｃのレール面が一致し、図４１に示す状態となる。
このように中間レールユニット２２Ｂおよび内レールユニット２２Ｃにロック穴Ｍ１，Ｍ２，Ｍ３とロック爪１１２，１１６を採用することで、レールユニットの運搬、収納等の取り扱いが容易になり、かつ、レールユニットの展開時のレール面の位置合わせを簡単かつ正確に行うことができる。
【符号の説明】
【０１０９】
１０    遊技機
１２    外枠
１３    本体枠（基枠）
１４    ガラス枠
１５    遊技盤
１６    ヒンジ
２１    ベース板
２２    レールユニット
２５    連結ピン
２６    連結ネジ
３１ａ〜３１ｉ  ボス
３２ａ〜３２ｈ  圧入ピン
４０    台座
５０    除電金具
５１    平板部（中継部）
５８    板刃（貫入部）
６１    集合樋
７０    保護カバー
７１    支軸
７２    バネ板
７３    係止爪
７４    軸受
８０    取手
８４、８５    コネクタ
９１ａ〜９１ｄ  コーナ飾り
９２    係止溝
９３    遊技盤装着枠部
９４    係止爪
９５    角取り面
９６    仕切板
９２ａ  溝壁面
９２ｂ  溝壁面（逃げ面）
１００ａ〜１００ｄ  収納穴
１１２，１１６  ロック爪
Ｂ１，Ｂ２  ボス
Ｈ１，Ｈ２  ネジ穴
Ｌ    セル画シート
Ｍ１，Ｍ２，Ｍ３  ロック穴
Ｒ    案内レール
Ｒ１，Ｒ２  レール面
Ｗ    小窓
【手続補正２】
【補正対象書類名】特許請求の範囲
【補正対象項目名】全文
【補正方法】変更
【補正の内容】
【特許請求の範囲】
【請求項１】
基枠のヒンジ側に遊技盤を斜め前方から挿入し、この遊技盤を回動させつつ前記基枠に装着するようにした遊技機であって、
前記基枠のヒンジ側の枠面に設けられる係止爪と、
前記遊技盤のコーナ飾りの側端部に設けられ、前記係止爪に嵌まる溝幅および溝長さを有し、前記係止爪に嵌って前記遊技盤を前記基枠に止める係止溝とを備え、
前記コーナ飾りの前記側端部が、前記遊技盤の盤面後方から前方に向けて盤面の中央側に傾斜する角取り面に形成され、
前記コーナ飾りの前記係止溝の底面が、前記遊技盤の盤面後方から前方に向かって前記係止爪の先端から離れるように前記角取り面と平行に傾斜する逃げ面に形成された、
ことを特徴とする遊技機。
【請求項２】
前記遊技盤は、ベニヤ板からなるベース板に合成樹脂製の前記コーナ飾りが取り付けられる構成であって、
前記コーナ飾りの係止溝に、前記ベース板の板面に密着しかつ該ベース板の板面と該係止溝の溝空間を仕切る仕切板が設けられたことを特徴とする請求項１に記載の遊技機。